(57)【特許請求の範囲】
【請求項１】
ワイヤレス通信のための方法において、
複数のセルのそれぞれに対して、チャネル状態情報（ＣＳＩ）の量子化の粒度を決定し、各セルに対する前記量子化の粒度は、ユーザ機器（ＵＥ）へのデータ送信の性能に影響を及ぼす、前記セルの少なくとも１つのパラメータに基づいて選択されることと、
前記セルに対して決定された量子化の粒度に基づいて、前記複数のセルのそれぞれに対する前記ＣＳＩを量子化することと、
前記複数のセルのそれぞれに対して前記ＣＳＩを報告することと
を含む方法。
【請求項２】
前記各セルの少なくとも１つのパラメータは、前記セルと前記ＵＥとの間の長期間のチャネル利得、または、前記ＵＥにおける、前記セルの受信電力、あるいは、両方を含む請求項１記載の方法。
【請求項３】
前記量子化の粒度を決定することは、前記セルに対する少なくとも１つのパラメータに基づいて、前記複数のセルのそれぞれに対するコードブックのサイズを決定することを含み、前記複数のセルのそれぞれに対する前記ＣＳＩを量子化することは、前記セルに対して決定されたコードブックのサイズのコードブックに基づいて、各セルに対する前記ＣＳＩを量子化することを含む請求項１記載の方法。
【請求項４】
前記コードブックのサイズを決定することは、
長期間のチャネル利得または前記セルに対する受信電力に基づいて、各セルに対するターゲット干渉抑制を決定することと、
前記セルに対するターゲット干渉抑制に基づいて、各セルに対する前記コードブックのサイズを決定することと
を含む請求項３記載の方法。
【請求項５】
前記各セルに対するターゲット干渉抑制は、前記ＵＥにおける残留干渉にさらに基づいて決定される請求項４記載の方法。
【請求項６】
前記各セルに対するターゲット干渉抑制は、量子化に起因する、前記ＵＥでの受信信号品質におけるターゲット劣化にさらに基づいて決定される請求項４記載の方法。
【請求項７】
前記量子化の粒度を決定することは、前記セルに対する長期間のチャネル利得と、指定されたセルに対する長期間のチャネル利得と、前記指定されたセルに対する量子化ビットの数とに基づいて、各セルに対する量子化ビットの数を決定することを含む請求項１記載の方法。
【請求項８】
各セルに対する前記ＣＳＩは、少なくとも１つのチャネルベクトル、または、少なくとも１つの等価チャネルベクトル、または、少なくとも１つの固有ベクトル、あるいは、これらの組み合わせを含む請求項１記載の方法。
【請求項９】
前記複数のセルのそれぞれに対して、ＣＳＩのフィードバックに対する副帯域のサイズを決定し、各セルに対する前記副帯域のサイズは、前記セルの少なくとも１つのパラメータに基づいて選択されることと、
前記セルに対する副帯域のサイズに基づいて、前記複数のセルのそれぞれに対して前記ＣＳＩを生成させることと
をさらに含む請求項１記載の方法。
【請求項１０】
前記各セルに対する量子化の粒度は、副帯域のサイズを含み、前記コードブックのサイズおよび前記副帯域のサイズは、フィードバックのオーバーヘッドを低減させ、前記報告されるＣＳＩ中の誤差に起因する追加の干渉を低減させるための少なくとも１つの基準に基づいて、共同で決定される請求項９記載の方法。
【請求項１１】
前記複数のセルのそれぞれに対して、ＣＳＩのフィードバックに対する報告間隔を決定し、各セルに対する前記報告間隔は、前記セルの少なくとも１つのパラメータに基づいて選択されることと、
前記セルに対する報告間隔に基づいて、前記複数のセルのそれぞれに対して前記ＣＳＩを生成させることと
をさらに含む請求項１記載の方法。
【請求項１２】
前記複数のセルのそれぞれに対して、ＣＳＩのフィードバックに対する、副帯域のサイズ、または、報告間隔、あるいは両方を決定し、各セルに対する、前記副帯域のサイズ、または、前記報告間隔、あるいは両方は、前記セルの少なくとも１つのパラメータに基づいて選択されることと、
前記セルに対する、前記副帯域のサイズ、または、前記報告間隔、あるいは両方に基づいて、前記複数のセルのそれぞれに対して前記ＣＳＩを生成させることと
をさらに含む請求項３記載の方法。
【請求項１３】
前記セルに対するコードブックのサイズに基づいて、各セルに対する量子化に起因する誤差の分散を決定することと、
前記セルに対する、前記副帯域のサイズ、または、前記報告間隔、あるいは両方に基づいて、各セルに対する、周波数、または、時間、あるいは両方における補間に起因する誤差の分散を決定することと、
前記セルに対する量子化に起因する誤差の分散と、前記セルに対する、周波数、または、時間、あるいは両方における補間に起因する誤差の分散と、前記セルに対する長期間のチャネル利得とに基づいて、各セルからの追加の干渉を決定することと
をさらに含む請求項１２記載の方法。
【請求項１４】
前記量子化に起因する誤差の分散は、コードブックのサイズの関数によりモデル化され、前記周波数、または、時間、あるいは両方における補間に起因する誤差の分散は、副帯域のサイズ、または、報告間隔、あるいは、両方の関数によりモデル化される請求項１３記載の方法。
【請求項１５】
前記コードブックのサイズと、前記副帯域のサイズおよび前記報告間隔のうちの少なくとも１つとは、コードブックのサイズと、副帯域のサイズおよび報告間隔のうちの少なくとも１つとの異なる可能性ある組み合わせを評価することにより、共同で決定される請求項１２記載の方法。
【請求項１６】
前記コードブックのサイズと、前記副帯域のサイズおよび前記報告間隔のうちの少なくとも１つとは、代わりに、前記コードブックのサイズを固定し、前記副帯域のサイズおよび前記報告間隔のうちの少なくとも１つのそれぞれを変化させ、かつ、前記副帯域のサイズおよび前記報告間隔のうちの少なくとも１つを固定し、前記コードブックのサイズを変化させることにより、共同で決定される請求項１２記載の方法。
【請求項１７】
前記複数のセルのすべてに対する、コードブックのサイズと、副帯域のサイズおよび報告間隔のうちの少なくとも１つとは、すべてのセルに対する、総合のフィードバックのオーバーヘッドを低減させ、すべてのセルに対する、前記ＣＳＩ中の誤差に起因する総合の追加の干渉を低減させるための少なくとも１つの基準に基づいて、共同で決定される請求項１２記載の方法。
【請求項１８】
前記複数のセルのそれぞれに対する、前記コードブックのサイズと、前記副帯域のサイズおよび前記報告間隔のうちの少なくとも１つとは、前記セルに対するフィードバックのオーバーヘッドを低減させ、前記セルに対する前記ＣＳＩ中の誤差に起因する追加の干渉を低減させるための少なくとも１つの基準に基づいて、共同で決定される請求項１２記載の方法。
【請求項１９】
前記複数のセル中の１組のセルからデータ送信を受信することをさらに含み、
前記データ送信は、前記１組のセルに対して報告された前記ＣＳＩに基づいて送られる請求項１記載の方法。
【請求項２０】
前記複数のセル中のセルからデータ送信を受信することをさらに含み、
前記データ送信は、前記複数のセルに対して報告された前記ＣＳＩに基づいて決定された少なくとも１つのプリコーディングベクトルに基づいて送られる請求項１記載の方法。
【請求項２１】
ワイヤレス通信のための装置において、
複数のセルのそれぞれに対して、チャネル状態情報（ＣＳＩ）の量子化の粒度を決定する手段であって、各セルに対する前記量子化の粒度は、ユーザ機器（ＵＥ）へのデータ送信の性能に影響を及ぼす、前記セルの少なくとも１つのパラメータに基づいて選択される、手段と
前記セルに対して決定された量子化の粒度に基づいて、前記複数のセルのそれぞれに対する前記ＣＳＩを量子化する手段と、
前記複数のセルのそれぞれに対して前記ＣＳＩを報告する手段と
を具備する装置。
【請求項２２】
前記各セルの少なくとも１つのパラメータは、前記セルと前記ＵＥとの間の長期間のチャネル利得、または、前記ＵＥにおける、前記セルの受信電力、あるいは、両方を含む請求項２１記載の装置。
【請求項２３】
前記量子化の粒度を決定する手段は、前記セルに対する少なくとも１つのパラメータに基づいて、前記複数のセルのそれぞれに対するコードブックのサイズを決定する手段を備え、前記複数のセルのそれぞれに対する前記ＣＳＩを量子化する手段は、前記セルに対して決定されたコードブックのサイズのコードブックに基づいて、各セルに対する前記ＣＳＩを量子化する手段を備える請求項２１記載の装置。
【請求項２４】
前記量子化の粒度を決定する手段は、前記セルに対する長期間のチャネル利得と、指定されたセルに対する長期間のチャネル利得と、前記指定されたセルに対する量子化ビットの数とに基づいて、各セルに対する量子化ビットの数を決定する手段を備える請求項２１記載の装置。
【請求項２５】
前記複数のセルのそれぞれに対して、ＣＳＩのフィードバックに対する副帯域のサイズを決定する手段であって、各セルに対する前記副帯域のサイズは、前記セルの少なくとも１つのパラメータに基づいて選択される、手段と、
前記セルに対する副帯域のサイズに基づいて、前記複数のセルのそれぞれに対して前記ＣＳＩを生成させる手段と
をさらに具備する請求項２１記載の装置。
【請求項２６】
前記複数のセルのそれぞれに対して、ＣＳＩのフィードバックに対する報告間隔を決定する手段であって、各セルに対する前記報告間隔は、前記セルの少なくとも１つのパラメータに基づいて選択される、手段と、
前記セルに対する報告間隔に基づいて、前記複数のセルのそれぞれに対して前記ＣＳＩを生成させる手段と
をさらに具備する請求項２１記載の装置。
【請求項２７】
ワイヤレス通信のための装置において、
複数のセルのそれぞれに対して、チャネル状態情報（ＣＳＩ）の量子化の粒度を決定し、前記セルに対して決定された量子化の粒度に基づいて、前記複数のセルのそれぞれに対する前記ＣＳＩを量子化し、前記複数のセルのそれぞれに対して前記ＣＳＩを報告するように構成されている少なくとも１つのプロセッサを具備し、
各セルに対する前記量子化の粒度は、ユーザ機器（ＵＥ）へのデータ送信の性能に影響を及ぼす、前記セルの少なくとも１つのパラメータに基づいて選択される、装置。
【請求項２８】
前記各セルの少なくとも１つのパラメータは、前記セルと前記ＵＥとの間の長期間のチャネル利得、または、前記ＵＥにおける、前記セルの受信電力、あるいは、両方を含む請求項２７記載の装置。
【請求項２９】
前記少なくとも１つのプロセッサは、前記セルに対する少なくとも１つのパラメータに基づいて、前記複数のセルのそれぞれに対するコードブックのサイズを決定し、前記セルに対して決定されたコードブックのサイズのコードブックに基づいて、各セルに対する前記ＣＳＩを量子化するように構成されている請求項２７記載の装置。
【請求項３０】
前記少なくとも１つのプロセッサは、前記セルに対する長期間のチャネル利得と、指定されたセルに対する長期間のチャネル利得と、前記指定されたセルに対する量子化ビットの数とに基づいて、各セルに対する量子化ビットの数を決定するように構成されている請求項２７記載の装置。
【請求項３１】
前記少なくとも１つのプロセッサは、前記複数のセルのそれぞれに対して、ＣＳＩのフィードバックに対する副帯域のサイズを決定し、前記セルに対する副帯域のサイズに基づいて、前記複数のセルのそれぞれに対して前記ＣＳＩを生成させるように構成されており、
各セルに対する前記副帯域のサイズは、前記セルの少なくとも１つのパラメータに基づいて選択される請求項２７記載の装置。
【請求項３２】
前記少なくとも１つのプロセッサは、前記複数のセルのそれぞれに対して、ＣＳＩのフィードバックに対する報告間隔を決定し、前記セルに対する報告間隔に基づいて、前記複数のセルのそれぞれに対して前記ＣＳＩを生成させるように構成されており、
各セルに対する前記報告間隔は、前記セルの少なくとも１つのパラメータに基づいて選択される請求項２７記載の装置。
【請求項３３】
コンピュータプログラムを記憶した非一時的コンピュータ読み取り可能記憶媒体において、
少なくとも１つのコンピュータに、複数のセルのそれぞれに対して、チャネル状態情報（ＣＳＩ）の量子化の粒度を決定させるためのコードと、
前記少なくとも１つのコンピュータに、前記セルに対して決定された量子化の粒度に基づいて、前記複数のセルのそれぞれに対する前記ＣＳＩを量子化させるためのコードと、
前記少なくとも１つのコンピュータに、前記複数のセルのそれぞれに対して前記ＣＳＩを報告させるためのコードとを含み、
各セルに対する前記量子化の粒度は、ユーザ機器（ＵＥ）へのデータ送信の性能に影響を及ぼす、前記セルの少なくとも１つのパラメータに基づいて選択されるコンピュータプログラムを記憶したコンピュータ読み取り可能記憶媒体。
【請求項３４】
ワイヤレス通信のための方法において、
複数のセル中のセルに対するチャネル状態情報（ＣＳＩ）を受信し、前記セルに対するＣＳＩは、ユーザ機器（ＵＥ）へのデータ送信の性能に影響を及ぼす、前記セルの少なくとも１つのパラメータ、に基づいて前記セルに対して選択された量子化の粒度にしたがって、前記ＵＥによって量子化されていることと、
前記受信したＣＳＩに基づいて、前記セルから前記ＵＥにデータ送信を送り、前記データ送信は、前記複数のセル中の少なくとも１つのセルによって送られ、前記少なくとも１つのセルは、前記セルを含むことと
を含む方法。
【請求項３５】
前記セルの少なくとも１つのパラメータは、前記セルと前記ＵＥとの間の長期間のチャネル利得、または、前記ＵＥにおける、前記セルの受信電力、あるいは、両方を含む請求項３４記載の方法。
【請求項３６】
前記セルの少なくとも１つのパラメータに基づいて前記セルに対して選択された、コードブックのサイズを決定することと、
前記セルに対するＣＳＩと、前記セルに対して選択されたコードブックのサイズのコードブックとに基づいて、前記セルに対する、少なくとも１つのチャネルベクトル、または、少なくとも１つの等価チャネルベクトル、または、少なくとも１つの固有ベクトルを取得することと
をさらに含む請求項３４記載の方法。
【請求項３７】
前記セルの少なくとも１つのパラメータに基づいて前記セルに対して選択された、副帯域のサイズを決定することと、
前記セルに対して選択された副帯域のサイズの、少なくとも１つの副帯域に対する、少なくとも１つのチャネルベクトル、または、少なくとも１つの等価チャネルベクトル、または、少なくとも１つの固有ベクトルを取得することと
をさらに含む請求項３４記載の方法。
【請求項３８】
前記セルの少なくとも１つのパラメータに基づいて前記セルに対して選択された、報告間隔を決定することをさらに含み、
前記セルに対するＣＳＩは、前記セルに対する報告間隔に基づいて前記ＵＥにより送られる請求項３４記載の方法。
【請求項３９】
前記少なくとも１つのセルは、前記複数のセル中の１組のセルを含み、前記１組のセルに対するプリコーディングベクトルは、前記１組のセルに対して前記ＵＥにより報告されたＣＳＩに基づいて決定され、前記データ送信は、前記プリコーディングベクトルに基づいて、前記１組のセルにより前記ＵＥに送られる請求項３４記載の方法。
【請求項４０】
前記少なくとも１つのセルは、前記セルだけを含み、少なくとも１つのプリコーディングベクトルが、前記複数のセルに対して前記ＵＥにより報告されたＣＳＩに基づいて決定され、前記データ送信は、前記ＵＥの方向に、および、前記複数のセル中の少なくとも１つの他のセルにより担当されている少なくとも１つのＵＥから離れる方向に前記データ送信を向けるために、前記少なくとも１つのプリコーディングベクトルに基づいて、前記セルにより前記ＵＥに送られる請求項３４記載の方法。
【請求項４１】
ワイヤレス通信のための装置において、
複数のセル中のセルに対するチャネル状態情報（ＣＳＩ）を受信する手段であって、前記セルに対するＣＳＩは、ユーザ機器（ＵＥ）へのデータ送信の性能に影響を及ぼす、前記セルの少なくとも１つのパラメータ、に基づいて前記セルに対して選択された量子化の粒度にしたがって、前記ＵＥによって量子化されている、手段と、
前記受信したＣＳＩに基づいて、前記セルから前記ＵＥにデータ送信を送る手段であって、前記データ送信は、前記複数のセル中の少なくとも１つのセルによって送られ、前記少なくとも１つのセルは、前記セルを含む、手段と
を具備する装置。
【請求項４２】
前記セルの少なくとも１つのパラメータは、前記セルと前記ＵＥとの間の長期間のチャネル利得、または、前記ＵＥにおける、前記セルの受信電力、あるいは、両方を含む請求項４１記載の装置。
【請求項４３】
前記セルの少なくとも１つのパラメータに基づいて前記セルに対して選択された、コードブックのサイズを決定する手段と、
前記セルに対するＣＳＩと、前記セルに対して選択されたコードブックのサイズのコードブックとに基づいて、前記セルに対する、少なくとも１つのチャネルベクトル、または、少なくとも１つの等価チャネルベクトル、または、少なくとも１つの固有ベクトルを取得する手段と
をさらに具備する請求項４１記載の装置。
【請求項４４】
前記セルの少なくとも１つのパラメータに基づいて前記セルに対して選択された、副帯域のサイズを決定する手段と、
前記セルに対して選択された副帯域のサイズの、少なくとも１つの副帯域に対する、少なくとも１つのチャネルベクトル、または、少なくとも１つの等価チャネルベクトル、または、少なくとも１つの固有ベクトルを取得する手段と
をさらに具備する請求項４１記載の装置。
【請求項４５】
前記セルの少なくとも１つのパラメータに基づいて前記セルに対して選択された、報告間隔を決定する手段をさらに具備し、
前記セルに対するＣＳＩは、前記セルに対する報告間隔に基づいて前記ＵＥにより送られる請求項４１記載の装置。
【請求項４６】
ワイヤレス通信のための装置において、
複数のセル中のセルに対するチャネル状態情報（ＣＳＩ）を受信し、前記受信したＣＳＩに基づいて、前記セルからユーザ機器（ＵＥ）にデータ送信を送るように構成されている少なくとも１つのプロセッサを具備し、
前記セルに対するＣＳＩは、前記ＵＥへのデータ送信の性能に影響を及ぼす、前記セルの少なくとも１つのパラメータ、に基づいて前記セルに対して選択された量子化の粒度にしたがって、前記ＵＥによって量子化されていることと、
前記データ送信は、前記複数のセル中の少なくとも１つのセルによって送られ、前記少なくとも１つのセルは、前記セルを含む、装置。
【請求項４７】
前記セルの少なくとも１つのパラメータは、前記セルと前記ＵＥとの間の長期間のチャネル利得、または、前記ＵＥにおける、前記セルの受信電力、あるいは、両方を含む請求項４６記載の装置。
【請求項４８】
前記少なくとも１つのプロセッサは、前記セルの少なくとも１つのパラメータに基づいて前記セルに対して選択された、コードブックのサイズを決定し、前記セルに対するＣＳＩと、前記セルに対して選択されたコードブックのサイズのコードブックとに基づいて、前記セルに対する、少なくとも１つのチャネルベクトル、または、少なくとも１つの等価チャネルベクトル、または、少なくとも１つの固有ベクトルを取得するように構成されている請求項４６記載の装置。
【請求項４９】
前記少なくとも１つのプロセッサは、前記セルの少なくとも１つのパラメータに基づいて前記セルに対して選択された、副帯域のサイズを決定し、前記セルに対して選択された副帯域のサイズの、少なくとも１つの副帯域に対する、少なくとも１つのチャネルベクトル、または、少なくとも１つの等価チャネルベクトル、または、少なくとも１つの固有ベクトルを取得するように構成されている請求項４６記載の装置。
【請求項５０】
前記少なくとも１つのプロセッサは、前記セルの少なくとも１つのパラメータに基づいて前記セルに対して選択された、報告間隔を決定するように構成されており、
前記セルに対するＣＳＩは、前記セルに対する報告間隔に基づいて前記ＵＥにより送られる請求項４６記載の装置。
【請求項５１】
コンピュータプログラムを記憶した非一時的コンピュータ読み取り可能記憶媒体において、
少なくとも１つのコンピュータに、複数のセル中のセルに対するチャネル状態情報（ＣＳＩ）を受信させるためのコードであって、前記セルに対するＣＳＩは、ユーザ機器（ＵＥ）へのデータ送信の性能に影響を及ぼす、前記セルの少なくとも１つのパラメータに基づいて前記セルに対して選択された量子化の粒度にしたがって、前記ＵＥによって量子化されている、コードと、
前記少なくとも１つのコンピュータに、前記受信したＣＳＩに基づいて、前記セルから前記ＵＥにデータ送信を送らせるためのコードであって、前記データ送信は、前記複数のセル中の少なくとも１つのセルによって送られ、前記少なくとも１つのセルは、前記セルを含む、コードと
を含むコンピュータプログラムを記憶したコンピュータ読み取り可能記憶媒体。
【発明の詳細な説明】
【優先権の主張】
【０００１】
本出願は、２００９年１０月８日に出願され、本出願の譲受人に譲渡され、参照によりここに組み込まれている、“ネットワークＭＩＭＯにおける空間フィードバックのためのスケーラブルなコードブック”と題する米国仮出願シリアル番号第６１／２４９，７２６号に対する優先権を主張する。
【分野】
【０００２】
本開示は一般に、通信に関し、より詳細には、ワイヤレス通信ネットワークにおいてデータ送信をサポートする技術に関する。
【背景】
【０００３】
ワイヤレス通信ネットワークは、音声、ビデオ、パケットデータ、メッセージング、ブロードキャストなどのような、さまざまな通信コンテンツを提供するために広く展開されている。これらのワイヤレスネットワークは、利用可能なネットワークリソースを共有することによって複数のユーザをサポートできる多元接続ネットワークであってもよい。そのような多元接続ネットワークの例は、コード分割多元接続（ＣＤＭＡ）ネットワークと、時分割多元接続（ＴＤＭＡ）ネットワークと、周波数分割多元接続（ＦＤＭＡ）ネットワークと、直交ＦＤＭＡ（ＯＦＤＭＡ）ネットワークと、単一搬送波ＦＤＭＡ（ＳＣ−ＦＤＭＡ）ネットワークとを含む。
【０００４】
ワイヤレス通信ネットワークは、多数のユーザ機器（ＵＥ）に対する通信をサポートできる、多数の基地局を含んでいてもよい。ＵＥは、複数のセルのカバレッジ内にあってもよく、ここで、用語“セル”は、基地局のカバレッジエリアおよび／またはカバレッジエリアを担当する基地局サブシステムを指すことができる。複数のセルのうちの１つ以上を選択してＵＥを担当してもよい。選択されたセルが、良好な性能を提供できる方法でＵＥにデータを送信できるように、ＵＥがフィードバック情報を送ることが望まれるかもしれない。
【概要】
【０００５】
チャネル状態情報（ＣＳＩ）を報告して、データ送信をサポートする技術をここで記述する。ＵＥは、複数のセル中の１つ以上のセルからデータ送信を受信してもよく、複数のセルのそれぞれに対してＣＳＩを報告してもよい。ＵＥは、ＵＥへのデータ送信に対する各セルの性能への影響に基づいて、異なるセルに対して、異なる量子化粒度、または、異なる周波数粒度、または、異なる時間粒度、あるいは、これらの組み合わせによりＣＳＩを生成させてもよい。一般に、弱いチャネルを有するセルに対するＣＳＩにおける誤差は、強いチャネルを有するセルに対するＣＳＩにおける誤差と比較して、より少ない性能の劣化をもたらす。したがって、（ｉ）量子化、または、周波数、および／または、時間におけるより精細な粒度により、強いチャネルを有するセルに対するＣＳＩを生成させ、かつ、（ｉｉ）量子化、または、周波数、および／または時間における粗い粒度により、弱いチャネルを有するセルに対するＣＳＩを生成させることにより、良好な性能および／またはより小さいフィードバックオーバーヘッドを取得してもよい。
【０００６】
１つの設計において、ＵＥは、複数のセルのそれぞれに対して、ＣＳＩの量子化の粒度を決定してもよい。例えば、セルの少なくとも１つのパラメータ（例えば、長期間のチャネル利得）に基づいて、コードブックのサイズを各セルに対して選択してもよい。ＵＥは、セルに対して選択されたコードブックのサイズのコードブックに基づいて、各セルに対するＣＳＩを量子化してもよい。１つの設計において、ＵＥは、各セルに対して副帯域のサイズを決定してもよく、各セルに対する副帯域のサイズは、セルの少なくとも１つのパラメータに基づいて選択されてもよい。ＵＥは、セルに対する副帯域のサイズに基づいて、各セルに対するＣＳＩを生成させてもよい。別の設計において、ＵＥは、各セルに対する報告間隔を決定してもよく、各セルに対する報告間隔は、セルの少なくとも１つのパラメータに基づいて選択されてもよい。ＵＥは、セルに対する報告間隔に基づいて、各セルに対するＣＳＩを生成させてもよい。さらに別の設計において、ＵＥは、各セルに対する副帯域のサイズおよび報告間隔を決定してもよく、各セルに対する副帯域のサイズおよび報告間隔は、セルの少なくとも１つのパラメータに基づいて選択されてもよい。ＵＥは、セルに対する副帯域のサイズおよび報告間隔に基づいて、各セルに対するＣＳＩを生成させてもよい。コードブックのサイズ、副帯域のサイズおよび報告間隔は、別々に、または、共同で決定されてもよい。ＵＥは、複数のセルに対するＣＳＩを報告してもよい。ＵＥは、その後、報告されたＣＳＩに基づいて、複数のセル中の少なくとも１つのセルによって送られたデータ送信を受信してもよい。
【０００７】
本開示のさまざまな観点および特徴を以下でさらに詳細に記述する。
【図面の簡単な説明】
【０００８】
【図１】図１は、ワイヤレス通信ネットワークを示す。
【図２】図２は、複数のセルから単一のＵＥへのデータ送信を示す。
【図３】図３は、コードブックのサイズに対する干渉抑制のグラフを示す。
【図４】図４は、信号対残留干渉比に対するコードブックのサイズのグラフを示す。
【図５】図５は、３つの量子化スキームに対するフィードバックオーバーヘッドに対する性能を示す。
【図６】図６は、例示的なチャネルプロセッサを示す。
【図７】図７は、スケーラブルなチャネルフィードバックによりＣＳＩを報告するプロセスを示す。
【図８】図８は、スケーラブルなチャネルフィードバックによりＣＳＩを報告する装置を示す。
【図９】図９は、スケーラブルなチャネルフィードバックにより生成されたＣＳＩを受信するプロセスを示す。
【図１０】図１０は、スケーラブルなチャネルフィードバックにより生成されたＣＳＩを受信する装置を示す。
【図１１】図１１は、基地局およびＵＥのブロックダイヤグラムを示す。
【詳細な説明】
【０００９】
ここで記述する技術は、ＣＤＭＡネットワークや、ＴＤＭＡネットワークや、ＦＤＭＡネットワークや、ＯＦＤＭＡネットワークや、ＳＣ−ＦＤＭＡネットワークや、他のネットワークのような、さまざまなワイヤレス通信ネットワークに対して使用してもよい。用語“ネットワーク”および“システム”は、区別なく使用されることが多い。ＣＤＭＡネットワークは、ユニバーサル地上無線アクセス（ＵＴＲＡ）や、ｃｄｍａ２０００などのような無線技術を実現できる。ＵＴＲＡは、広帯域ＣＤＭＡ（ＷＣＤＭＡ）と、ＣＤＭＡの他の変形体とを含む。ｃｄｍａ２０００は、ＩＳ−２０００、ＩＳ−９５およびＩＳ−８５６の標準規格をカバーする。ＴＤＭＡネットワークは、移動体通信用グローバルシステム（ＧＳＭ（登録商標））のような無線技術を実現できる。ＯＦＤＭＡネットワークは、進化型ＵＴＲＡ（Ｅ−ＵＴＲＡ）や、ウルトラモバイルブロードバンド（ＵＭＢ）や、ＩＥＥＥ８０２．１１（Ｗｉ−Ｆｉ）や、ＩＥＥＥ８０２．１６（ＷｉＭＡＸ）や、ＩＥＥＥ８０２．２０や、フラッシュ−ＯＦＤＭ（登録商標）などのような無線技術を実現できる。ＵＴＲＡおよびＥ−ＵＴＲＡは、ユニバーサル移動体電気通信システム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用するＵＭＴＳの新しいリリースであり、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥ、ＬＴＥ−ＡおよびＧＳＭは、“第３世代パートナーシップ・プロジェクト”（３ＧＰＰ）と名付けられた組織からの文書で説明されている。ｃｄｍａ２０００およびＵＭＢは、“第３世代パートナーシップ・プロジェクト２”（３ＧＰＰ２）と名付けられた組織からの文書で説明されている。ここで記述する技術は、先に述べたワイヤレスネットワークおよび無線技術だけでなく、他のワイヤレスネットワークおよび無線技術に対しても使用してもよい。明瞭にするために、技術のいくつかの観点を、ＬＴＥに対して以下で記述し、ＬＴＥの用語を以下の記述の多くにおいて使用する。
【００１０】
図１は、ワイヤレス通信ネットワーク１００を示し、ワイヤレス通信ネットワーク１００は、ＬＴＥネットワークまたは他の何らかのワイヤレスネットワークであってもよい。ワイヤレスネットワーク１００は、多数の進化型ノードＢ（ｅＮＢ）と、他のネットワークエンティティとを含んでいてもよい。簡単にするために、３つのｅＮＢ１１０ａ、１１０ｂおよび１１０ｃと、１つのネットワーク制御装置１３０とを図１中で示している。ｅＮＢは、ＵＥと通信するエンティティであってもよく、基地局、ノードＢ、アクセスポイントなどと呼ばれることもある。各ｅＮＢ１１０は、特定の地理的なエリア１０２に対して通信カバレッジを提供してもよい。ネットワークの容量を向上させるために、ｅＮＢの全カバレッジエリアは、複数のより小さいエリアに、例えば、３つのより小さいエリア１０４ａ、１０４ｂおよび１０４ｃに区分されていてもよい。より小さい各エリアは、それぞれのｅＮＢサブシステムにより担当されてもよい。３ＧＰＰにおいて、用語“セル”は、ｅＮＢの最も小さいカバレッジエリア、および／または、このカバレッジエリアを担当するｅＮＢサブシステムを指すことができる。３ＧＰＰ２において、用語“セクタ”または“セル−セクタ”は、基地局の最も小さいカバレッジエリア、および／または、このカバレッジエリアを担当する基地局サブシステムを指すことができる。簡単にするために、セルの３ＧＰＰ概念を以下の記述において使用する。一般に、ｅＮＢは、１つまたは複数（例えば、３つ）のセルをサポートしてもよい。
【００１１】
ネットワーク制御装置１３０は、１組のｅＮＢに結合していてもよく、これらのｅＮＢに対して調整および制御を提供してもよい。ネットワーク制御装置１３０は、モバイルマネジメントエンティティ（ＭＭＥ）および／または他の何らかのエンティティを含んでいてもよい。
【００１２】
ＵＥ１２０が、ワイヤレスネットワーク全体にわたって分散されていてもよく、各ＵＥは、固定型または移動型であってもよい。簡単にするために、図１は、各セル中に１つのＵＥ１２０だけを示す。ＵＥは、移動局、端末、アクセス端末、加入者ユニット、局などと呼ばれることもある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、スマート電話機、ネットブック、スマートブックなどであってもよい。ＵＥは、ダウンリンクおよびアップリンクによって、ｅＮＢと通信してもよい。ダウンリンク（すなわち、フォワードリンク）は、ｅＮＢからＵＥへの通信リンクを指し、アップリンク（すなわち、リバースリンク）は、ＵＥからｅＮＢへの通信リンクを指す。
【００１３】
ワイヤレスネットワーク１００は、マルチポイント協調（ＣｏＭＰ）をサポートしてもよく、ＣｏＭＰは、ダウンリンクネットワークの複数入力複数出力（ＭＩＭＯ）を含んでいてもよい。ＣｏＭＰに対して、複数のセルからの信号をターゲットのＵＥにおいて結合でき、および／または、セル間の干渉を、干渉されるＵＥにおいて低減させることができるように、複数のセルが、同じ時間周波数リソース上で１つ以上のＵＥにデータを送信するように協調してもよい。ＣｏＭＰは、以下のものを含んでいてもよい：
１．結合処理（Joint processing）−異なるセルにおけるプリコーディングベクトルによる、複数のセルから１つ以上のＵＥへの、データのマルチポイント送信が、ターゲットＵＥにおけるビームフォーミング利得および／または１つ以上の干渉されるＵＥにおける干渉の低減を達成するために選択され、および、
２．協調したビームフォーミング（Coordinated beamforming）−１つ以上のプリコーディングベクトルによる、単一のセルからターゲットＵＥへの、データの単一ポイント送信が、ターゲットＵＥに対するビームフォーミングと、１つ以上の隣接セルにより担当されている１つ以上の干渉されるＵＥへの干渉の低減との間のトレーディングにより、セルに対して選択される。
【００１４】
結合処理に対して、複数のセルが、所定のＵＥにデータを送信してもよいのに対して、協調したビームフォーミングに対して、単一のセルが、ＵＥにデータを送信してもよい。しかしながら、結合処理および協調したビームフォーミングの両方に対して、ＵＥにデータを送信するために１つ以上のセルにより使用されるプリコーディングベクトルは、セル間干渉を低減させるために、ＵＥのチャネルだけでなく、他のＵＥのチャネルも考慮することにより選択されてもよい。
【００１５】
図２は、複数のセルから単一のＵＥへのＣｏＭＰ送信の例を示す。ＵＥは、測定セットを有していてもよく、測定セットは、ＵＥによって測定でき、ＵＥへのＣｏＭＰ送信に参加できる、すべてのセルを含んでいてもよい。これらのセルは、同じｅＮＢまたは異なるｅＮＢに属していてもよく、チャネル利得／パス損失、受信信号強度、受信信号品質などに基づいて選択されてもよい。受信信号品質は、信号対雑音および干渉比（ＳＩＮＲ）、搬送波対干渉比（Ｃ／Ｉ）などにより、定量化されてもよい。例えば、測定セットは、しきい値より上のチャネル利得またはＳＩＮＲを有するセルを含んでいてもよい。ＵＥは、測定セット中のセルに対して、チャネル状態情報（ＣＳＩ）を決定および報告してもよい。ＵＥは、マルチポイント送信（結合処理）または単一ポイント送信（協調したビームフォーミング）のいずれかに対して、ＣｏＭＰセット中の１つ以上のセルによって担当されてもよい。ＣｏＭＰセットは、測定セット中のセルのすべてまたはいくつかを含んでいてもよく、ＵＥの知らないうちに、ダイナミックに選択されてもよい。
【００１６】
図２中で示すように、ＵＥは、各セルに対して、異なる通信チャネルまたはリンクを有していてもよい。各セルｍからＵＥへのチャネルの応答は、ｃmＨmとして与えられてもよく、ここで、Ｈmは、セルｍに対する、Ｒ×Ｔmチャネル行列であり、ｃmは、セルｍに対する長期間のチャネル利得であり、Ｔmは、セルｍにおける送信アンテナの数であり、Ｒは、ＵＥにおける受信アンテナの数であり、ｍ∈｛１，．．．，Ｍ｝である。Ｈmは、セルｍにおけるＴm本の送信アンテナと、ＵＥにおけるＲ本の受信アンテナとの間の、短期間のフェージングを表すチャネル利得を含み、一般に、Ｔm≧１、および、Ｒ≧１である。ｃmは、セルｍとＵＥとの間の長期間のチャネル利得を表す。測定セット中の異なるセルの長期間のチャネル利得の間に、無視できない差異があってもよい。
【００１７】
各セルは、チャネル推定のためにＵＥによって使用されてもよい、セル固有の参照信号（ＣＲＳ）を送信してもよい。参照信号は、送信機および受信機によってアプリオリに知られている信号であり、パイロットと呼ばれることもある。ＣＲＳは、例えば、セル識別子（ＩＤ）に基づいて生成される、セルに対して固有の参照信号である。ＵＥは、各セルからのＣＲＳに基づいて、各セルに対するチャネル応答（例えば、チャネル行列）を推定してもよい。
【００１８】
ＵＥは、明示のチャネルフィードバック（明示のフィードバックとも呼ばれる）または暗示のチャネルフィードバック（暗示のフィードバックとも呼ばれる）のいずれかを送って、ＣｏＭＰ送信をサポートしてもよい。明示のフィードバックに対して、ＵＥは、ＵＥにより観察される、異なるセルに対するチャネル応答を表すＣＳＩを送ってもよい。暗示のフィードバックに対して、ＵＥは、ことによると固有のプリコーディング行列に関して調整される異なるセルに対するチャネル応答に基づいて決定されたＣＳＩを送ってもよい。
【００１９】
明示のフィードバックに対して、ＵＥは、個々のセルに対するセル内成分と、セルにわたったセル間成分とを測定および報告してもよい。セル内成分は、所定のセルの送信アンテナと、ＵＥの受信アンテナとの間の短期間のＣＳＩを取り込んでもよい。セル間成分は、セルにわたった、振幅および位相の関係を取り込んでもよい。セル内およびセル間の成分を、ＵＥへのＣｏＭＰ送信に対して使用してもよい。
【００２０】
セル内成分の明示のフィードバックの１つの設計において、ＵＥは、それぞれ、セル１ないしＭに対するチャネル行列Ｈ1ないしＨMを測定して、報告してもよい。ＵＥは、各セルｍに対するチャネル行列Ｈmを測定してもよく、Ｈmの推定である、測定されたチャネル行列Ｈ-mを取得してもよい。ＵＥは、以下のように、各セルに対して、測定チャネル行列Ｈ-mを量子化してもよい。測定チャネル行列Ｈ-mは、ＵＥにおけるＲ本の受信アンテナに対して、Ｒ個の測定されたチャネルベクトルｈ-m（１）ないしｈ-m（Ｒ）に対応するＲ個の行を含む。セル毎のコードブックＣPを使用して、測定チャネル行列Ｈ-mの各行を量子化してもよく、ＣPは、多数の（Ｎ個の）チャネルベクトルを含んでいてもよい。コードブックＣP中の各チャネルベクトルには、一意のＢビットのインデックスが割り当てられていてもよく、ここで、
【数１】
0005512819.tif 000002
【００２１】
である。Ｈ-m中の各測定チャネルベクトルを、次のように、コードブックＣP中の１つのチャネルベクトルに量子化してもよい。
【数２】
0005512819.tif 000003
【００２２】
ここで、ｄ（，）は、正規化された相関のようなメトリックであり、次の式を満たす。
【数３】
0005512819.tif 000004
【００２３】
ｈ-m（ｒ）は、Ｈ-mのｒ番目の行に対応する測定チャネルベクトルであり、
ｈ^m（ｒ）は、ｈ-m（ｒ）に対する、量子化されたチャネルベクトルであり、
“Ｈ”は、エルミネートまたは共役転置を示している。
【００２４】
数式（１）中で示されているように、測定チャネルベクトルｈ-m（ｒ）を、コードブックＣP中の各チャネルベクトルに対して評価してもよい。最良のメトリックを有する、コードブックＣP中のチャネルベクトルを、測定チャネルベクトルｈ-m（ｒ）に対する量子化チャネルベクトルｈ^m（ｒ）として選択してもよい。
【００２５】
コードブックＣP中のチャネルベクトルを、単位ノルム（すなわち、１の大きさ）を有するように規定してもよく、それにより、コードブック中の各チャネルベクトルに対して、||ｈ^||＝１である。このケースにおいて、量子化されたチャネルベクトルｈ^m（ｒ）は、チャネル方向情報（ＣＤＩ）を含むが、振幅情報を含まないだろう。さらに、正規化された相関が、量子化されたチャネルベクトルを決定するために使用される場合、量子化されたチャネルベクトルは、位相情報を含まないだろう。
【００２６】
ＵＥは、Ｍ個のセルに対して、相対的な振幅および位相情報を決定してもよい。セル間コードブックＣθを使用して、Ｍ個のセルに対して、相対的な振幅および位相を量子化してもよく、Ｃθは、多数の相対的な振幅および位相のベクトルを含んでいてもよい。コードブックＣθ中の、各相対的な振幅および位相のベクトルには、一意のインデックスが割り当てられていてもよい。ＵＥは、次のように、ＵＥにおける各受信アンテナに対して、Ｍ個のセルに対するＭ個の測定チャネルベクトルとして、相対的な振幅および位相を決定してもよい。
【数４】
0005512819.tif 000005
【００２７】
ここで、ｈ-（ｒ）＝［ｃ1ｈ-1（ｒ），．．．，ｃMｈ-M（ｒ）］は、ＵＥにおけるアンテナｒに対する、Ｍ個のセルに対するＭ個のスケーリングされた測定チャネルベクトルを含んでいる拡張されたベクトルであり、
ｈ^（ｒ）＝［ｃ1ｈ^1（ｒ），．．．，ｃMｈ^M（ｒ）］は、ＵＥにおけるアンテナｒに対する、Ｍ個のセルに対するスケーリングされた量子化チャネルベクトルを含んでいる拡張されたベクトルであり、
ｖ＝［ｖ1，．．．，ｖK］は、Ｍ個のセルに対する、Ｍ個の相対的な複素利得を有するベクトルであり、
【数５】
0005512819.tif 000006
【００２８】
であり、
ｖ（ｒ）は、ＵＥにおけるアンテナｒに対する、相対的な振幅および位相のベクトルである。
【００２９】
数式（２）中で示されているように、コードブックＣθ中の、各相対的な振幅および位相のベクトルに対して、拡張されたベクトルｈ-（ｒ）中の、アンテナｒに対する測定チャネルベクトルを、拡張されたベクトルｈ^（ｒ）中の対応する量子化されたチャネルベクトルに対して評価してもよい。各ベクトルｖは、Ｍ個のセル間の相対的な振幅および位相を表す、Ｍ個のセルに対するＭ個の複素利得を含む。アンテナｒに対して、最良のメトリックを有する、コードブックＣθ中の相対的な振幅および位相のベクトルを、Ｍ個のセルに対する相対的な振幅および位相の量子化されたベクトルとして選択してもよい。ＵＥにおけるＲ本のアンテナのそれぞれに対して（すなわち、Ｍ個のセルに対する測定チャネル行列のＲ個の列に対して）プロセスを繰り返して、Ｒ本のアンテナに対して、Ｒ個の量子化された相対的な振幅および位相のベクトルｖ（１）ないしｖ（Ｒ）を取得してもよい。
【００３０】
ＵＥは、（ｉ）Ｍ個のセルに対するＭ個の測定チャネル行列のそれぞれに対して取得された、Ｒ個の量子化されたチャネルベクトルｈ^m（１）ないしｈ^m（Ｒ）のインデックスと、（ｉｉ）測定チャネル行列のＲ個の行に対して取得された、Ｒ個の量子化された相対的な振幅および位相のベクトルｖ（１）ないしｖ（Ｒ）のインデックスと、を含んでいるＣＳＩを報告してもよい。
【００３１】
セル内成分の明示のフィードバックの別の設計において、ＵＥは、各セルからＵＥへのチャネルの１つ以上の固有モードに対する１つ以上の固有ベクトルを報告してもよい。ＵＥは、次のように、セルｍに対する測定チャネル行列の特異値分解を実行してもよい：
【数６】
0005512819.tif 000007
【００３２】
ここで、
Ｕmは、Ｈ-mの左特異ベクトルのユニタリ行列であり、
Ｖmは、Ｈ-mの右特異ベクトルのユニタリ行列であり、
Σmは、Ｈ-mの特異値の対角行列である。
【００３３】
Ｖm中の右特異ベクトルは、固有ベクトルとも呼ばれている。ＵＥは、Σm中のＱ個の最大の特異値に対応している、Ｖm中のＱ個の最良の固有ベクトルを選択してもよく、ここで、一般的に、１≦Ｑ≦ｍｉｎ｛Ｒ，Ｔm｝である。１つの設計では、ＵＥは、異なる可能性ある数の固有ベクトル（すなわち、異なる可能性あるＱ値）の性能を評価してもよく、最良の性能を持つＱ値を選択してもよい。別の設計では、長期間のチャネル条件、ＵＥに対するデータ量等のような、さまざまな基準に基づいて、Ｑの特定の値によりＵＥを構成してもよい。いずれのケースにおいても、Ｑは、最高の“ランク”と呼ばれてもよく、ＵＥへのデータ送信に対して構成されているレイヤまたは固有モードの最大数を表してもよい。
【００３４】
１つの設計において、ＵＥは、例えば、数式（１）中で示されているように、各セルに対してＱ個の最良の固有ベクトルを量子化してもよい。ＵＥはまた、例えば、数式（２）中で示されているように、Ｍ個のすべてのセルに対して、Ｑ個の最良の固有ベクトルに対する相対的な振幅および位相のベクトルを決定してもよい。ＵＥは、Ｍ個のすべてのセルに対する量子化された固有ベクトルのインデックスと、相対的な振幅および位相のベクトルのインデックスとを含むＣＳＩを報告してもよい。
【００３５】
セル内成分の明示のフィードバックのさらに別の設計では、ＵＥは、次のように、各セルｍに対して等価チャネル行列を決定してもよい：
【数７】
0005512819.tif 000008
【００３６】
ここで、Ｕ1は、担当セルに対する、Ｈ-1の左特異ベクトルのユニタリ行列であり、
Ｇmは、セルｍに対する等価チャネル行列である。
【００３７】
ＵＥは、例えば、数式（１）中で示されているように、各セルに対して、等価チャネル行列Ｇm中のベクトルを量子化してもよい。ＵＥはまた、例えば、数式（２）中で示されているように、Ｍ個のすべてのセルに対する等価チャネル行列に対して、相対的な振幅および位相のベクトルを決定してもよい。ＵＥは、Ｍ個のすべてのセルに対する量子化された等価チャネルベクトルのインデックスと、相対的な振幅および位相のベクトルのインデックスとを含むＣＳＩを報告してもよい。
【００３８】
暗示のフィードバックの１つの設計において、ＵＥは、異なるセルに対するチャネル応答に基づいて、プリコーディング行列インジケータ（ＰＭＩ）、ランクインジケータ（ＲＩ）、および／または、チャネル品質インジケータ（ＣＱＩ）を決定してもよい。ＵＥは、異なる可能性あるプリコーディングベクトルおよび異なる可能性あるランクの性能（例えば、全スループット）を評価してもよく、最良の性能を有するプリコーディングベクトルおよびランクを決定してもよい。ＵＥはまた、最良の性能を有するプリコーディングベクトルおよびランクに基づいて、ＣＱＩを決定してもよい。ＵＥは次に、ＵＥへのデータ送信に対して使用してもよいＰＭＩ、ＲＩおよび／またはＣＱＩを含むＣＳＩを報告してもよい。したがって、ＰＭＩ、ＲＩおよび／またはＣＱＩは、暗示のチャネル情報を提供し得る。
【００３９】
明示のフィードバックは、暗示のフィードバックよりもＣｏＭＰ送信に対してより良好な性能を提供するかもしれない。これは、ＵＥが通常、他のＵＥにおけるチャネル条件の知識を有さず、それゆえに、他のＵＥに対して良好な性能（例えば、干渉の低減）を提供できるプリコーディングベクトルを決定できないからである。明示のフィードバックでは、異なるＵＥは、異なるセルに対するチャネル行列または固有ベクトルを報告し得る。プリコーディングベクトルが次に、異なるＵＥから報告されたチャネル行列または固有ベクトルに基づいて決定されて、例えば、各ＵＥに対して信号対漏洩比（ＳＬＲ）を最大にする、影響を受けるすべてのＵＥに対して良好な性能が取得される。
【００４０】
ＣｏＭＰ送信に対するフィードバックのオーバーヘッドは、他のＵＥを考慮しない、１つのセルからＵＥへの従来の送信に対するフィードバックのオーバーヘッドよりもはるかに大きいかもしれない。これは、ＵＥが、従来の送信に対しては唯一の担当セルに対してＣＳＩを報告するが、ＣｏＭＰ送信に対しては、担当セルだけでなく他のセルに対してもＣＳＩを報告する可能性があるからである。ＣｏＭＰ送信に対する、より高いフィードバックのオーバーヘッドは、（ｉ）ＵＥによって複数のセルに対してＣＳＩを報告するための追加のアップリンクオーバーヘッドと、（ｉｉ）ＵＥへのＣｏＭＰ送信に参加するセル間でＣＳＩを配布するための、バックホール上の追加のシグナリングと、の両方をもたらす可能性がある。
【００４１】
１つの観点において、ＣＳＩを、スケーラブルな量子化により生成して、ＣｏＭＰ送信に対する良好な性能を取得する一方で、フィードバックのオーバーヘッドを低減させてもよい。スケーラブルな量子化に対して、ＵＥは、ＵＥへのＣｏＭＰ送信に対する各セルの性能への影響に基づいて、異なるセルに対して異なる粒度によりＣＳＩを量子化してもよい。弱いチャネルを有するセルに対するＣＳＩにおける誤差は、強いチャネルを有するセルに対するＣＳＩにおける誤差と比較して、より少ない性能の劣化をもたらすかもしれない。したがって、異なるセルに対して異なる量子化粒度を使用することによって、良好な性能および／または、より低い、フィードバックのオーバーヘッドを取得してもよい。特に、強いチャネルを有するセルに対して、より精細な量子化（例えば、より大きなコードブック）を使用して、より正確なＣＳＩフィードバックを取得してもよい。これらのセルに対するＣＳＩ誤差は、性能に関して大きな影響を与え得るからである。逆に、粗い量子化（例えば、より小さいコードブック）を、弱いチャネルを有するセルに対して使用してもよい。あまり正確でないＣＳＩフィードバックに起因する、比較的大きなＣＳＩ誤差は、これらのセルに対して許容され得るからである。
【００４２】
ここでの記述において、ＵＥに対して強いチャネルを有するセルは、強いセルと呼ばれ、ＵＥに対して弱いチャネルを有するセルは、弱いセルと呼ばれる。チャネル利得／パス損失、受信信号強度、受信信号品質などのようなさまざまな基準に基づいて、セルを、強いセルまたは弱いセルと考えてもよい。例えば、セルは、（ｉ）セルに対するチャネル利得が高いしきい値を上回る場合に、強いセルと、または、（ｉｉ）チャネル利得が低いしきい値を下回る場合に、弱いセルと、考えられてもよい。例えば、より多くのしきい値を使用することにより、２つよりも多い、セルのカテゴリーを規定してもよい。例えば、セルは、非常に強いセル、強いセル、適度のセル、弱いセルなどと考えられてもよい。簡単にするために、以下の記述の多くは、２つのカテゴリーのセル−強いセルおよび弱いセルを仮定する。
【００４３】
ＵＥは、ＣｏＭＰ送信に対する良好な性能を取得するために、十分に正確なＣＳＩを報告するべきである。ＣＳＩフィードバックの精度／忠実度は、次のうちの１つ以上を含んでもよい、さまざまな要因に依存し得る：
Ａ．フィードバックのタイプ−チャネルメトリック、固有ベクトル、等価チャネル行列、プリコーディングベクトルなど、
Ｂ．フィードバックに先立って、ＵＥにおいて導入されるチャネル推定誤差、
Ｃ．時間および／または周波数ドメインにおけるＣＳＩフィードバックの粒度および
Ｄ．ＣＳＩの量子化。
【００４４】
一般に、より正確なＣＳＩフィードバックは、周波数および時間における、より精細な粒度によりＣＳＩを報告することにより、また、ＣＳＩを量子化するのにより多くのビットを使用することにより、達成され得るが、これらのすべては、フィードバックのオーバーヘッドを増加させ得る。ＣＳＩフィードバックの精度はまた、報告されるＣＳＩのタイプ、ＵＥにおけるチャネル推定誤差および／または他の要因などに依存し得る。これらの要因のいくつかは、設定可能であるのに対して、他の要因は、固定されたものであるかもしれない。例えば、フィードバックのタイプは、システムの設計に依存し、固定されたものであり得る。チャネル推定誤差は、ＵＥによって用いられる受信機処理技術と、各セルの信号強度とに依存する可能性があり、設定可能でないかもしれない。時間および周波数ドメインにおけるＣＳＩフィードバックの粒度は、システムの設計によって固定されていてもよく、または、設定可能であってもよい。
【００４５】
ＵＥは、測定されたチャネルベクトル、または、等価チャネルベクトル、または、固有ベクトル、または他の何らかのチャネル関連のベクトルを量子化してもよい。明瞭にするために、以下の記述の多くは、ＵＥが測定されたチャネルベクトルを量子化することを仮定している。ＵＥは、特定の粒度により、測定されたチャネルベクトルを量子化してもよい。量子化の粒度は、（ｉ）量子化されたチャネルベクトルを表すために使用されるビットの数、または、（ｉｉ）量子化のために使用されるコードブック中のチャネルベクトルの数を表すコードブックのサイズ、によって与えられてもよい。明瞭にするために、以下の記述の多くでは、量子化の粒度は、コードブックのサイズによって与えられる。コードブックは、Ｎ個のチャネルベクトルを含んでいてもよく、各チャネルベクトルには、一意のＢビットのインデックスが割り当てられていてもよく、ここで、Ｎ≦２Bである。一般に、より多くのチャネルベクトルを有する、より大きなコードブックは、より精細な量子化に対応する。より大きなコードブックは、測定されたチャネルベクトルがより正確に量子化されることを可能にし、測定されたチャネルベクトルと量子化されたチャネルベクトルとの間により小さい誤差をもたらす。しかしながら、より大きなコードブックはまた、量子化されたチャネルベクトルを伝えるのに使用されるより多くのビットをもたらし、フィードバックのオーバーヘッドを増加させるだろう。
【００４６】
ＵＥは、Ｍ個のセルに対する量子化されたチャネルベクトルを含むＣＳＩを報告してもよい。ＣＳＩを使用して、（ｉ）どのセルがＵＥにデータを送信するのに協調すべきであるかを決定しもよく、また、（ｉｉ）例えば、信号対漏洩比の最大化に基づいて、選択されたセルに対してプリコーディングベクトルを決定してもよい。しかしながら、ＣＳＩは、量子化に起因する誤差を有する可能性がある。ＣＳＩの誤差は、真のチャネルとの不整合をもたらし、ＵＥにおける追加の干渉を招来するかもしれない。
【００４７】
１つの設計において、量子化に起因する誤差は、次のように表すことができる干渉抑制比（ＩＳＲ）によって定量化してもよい：
【数８】
0005512819.tif 000009
【００４８】
ここで、Ｅ［ ］は、期待値の演算を表す。
【００４９】
数式（５）において、最大（ｍａｘ）演算は、コードブック中のすべてのチャネルベクトル（またはコードワード）に対するものであり、期待値の演算は、チャネルの集合に対するものである。実際の各チャネルｈに対して、最小の誤差を有する、コードブック中の、量子化された最良のチャネルベクトルｈ^が、最大演算によって決定される。プロセスは、異なるチャネルに対して繰り返され、異なるチャネルに対する誤差が、期待値の演算によって平均される。
【００５０】
干渉抑制は、量子化されたチャネルベクトル中の予期される量の誤差を表す。ＵＥが、誤差を有さない、量子化されたチャネルベクトル（ｈ^＝ｈ）を報告する場合、隣接セルは、量子化されたチャネルベクトルに直交するプリコーディングベクトルを選択してもよく、その場合、いかなる干渉もＵＥにもたらさず、その結果、無限の干渉抑制が生じる。しかしながら、量子化されたチャネルベクトルが誤差を有する場合、プリコーディングベクトルは、量子化されたチャネルベクトルに直交しても、実際のチャネルベクトルに直交しないかもしれず、隣接セルは、ＵＥに対して何らかの干渉をもたらすかもしれない。一般に、量子化されたチャネルベクトルにおける、より大きい誤差は、隣接セルからＵＥにより多くの干渉をもたらし、結果として、より小さい干渉抑制をもたらすかもしれない。コードブックのサイズを増加させることは、量子化されたチャネルベクトル中の誤差を減少させ、干渉抑制を増加させ得る。
【００５１】
図３は、コードブックのサイズに対する干渉抑制のグラフを示す。横軸は、コードブックのサイズを表し、ビット数（Ｂ）で与えられる。縦軸は、干渉抑制を表し、デシベル（ｄＢ）の単位で与えられる。グラフ３１０は、コードブックのサイズの関数として干渉抑制を示す。図３中で示されているように、干渉抑制は、コードブックのサイズに対して直線的に増加し得る。
【００５２】
さまざまな基準に基づいて、適切なコードブックのサイズをセルに対して選択してもよい。１つの設計において、ＵＥにおける残留干渉に基づいて、コードブックのサイズを選択してもよい。残留干渉は、ＵＥへのＣｏＭＰ送信に関係していないすべてのセルからの干渉と、熱雑音とを含んでいてもよい。残留干渉は、セルからの参照信号に基づいて推定されてもよい。ＣＳＩ誤差の影響が、ＵＥにおける残留干渉の量とバランスが取られるように、コードブックのサイズを選択してもよい。ＣＳＩ誤差の所定の量は、（ｉ）強いセルに関係付けられるとき、より多くの追加の干渉と、より大きな性能への影響とをもたらし、（ｉｉ）弱いセルに関係付けられるとき、より少ない追加の干渉と、より小さい性能への影響とをもたらし得る。したがって、ＣＳＩ誤差が性能に関してより大きな影響を与える強いセルに対して、より精細な量子化を使用してもよく、それにより、これらのセルに対するＣＳＩ誤差に起因する追加の干渉を、残留干渉に近いレベルに低減させることができる。逆に、ＣＳＩ誤差が、より少ない性能の影響を与える弱いセルに対して、粗い量子化を使用してもよく、それにより、これらのセルに対するＣＳＩ誤差に起因する追加の干渉は、残留干渉のレベルに近い。したがって、各セルに対するＣＳＩ誤差に起因する追加の干渉が、残留干渉のレベルに近くなるように、適切なコードブックのサイズを各セルに関係付けてもよい。これは、すべてのセルが同じコードブックのサイズと、それゆえに、ほぼ等しいＣＳＩ誤差とを有し、そのため、より大きな追加の干渉を生じさせてより大きな性能への影響を有する強いセルをもたらす、従来のスキームに比べて、より良好な性能および／またはより小さいフィードバックのオーバーヘッドを結果として生じ得る。
【００５３】
１つの設計において、量子化からのＣＳＩ誤差に起因する追加の干渉が、ＵＥにおける残留干渉とバランスが取られるように、コードブックのサイズを選択してもよい。これは、次の条件を満たすようにコードブックのサイズを選択することによって達成され得る：
【数９】
0005512819.tif 000010
【００５４】
ここで、ＰRX,mは、ＵＥにおける、セルｍに対する受信電力であり、
ＩRESは、ＵＥにおける残留干渉であり、
ＩＳＲmは、セルｍに対する干渉抑制比である。
【００５５】
セルｍに対する受信電力は、セルｍに対する長期間のチャネル利得に依存していてもよく、すなわち、ＰRX,m∝ｃ2mであってもよい。
【００５６】
別の設計において、量子化に起因する、ＳＩＮＲにおける劣化をターゲットレベルに制限するように、コードブックのサイズを選択してもよい。特に、量子化を有さないＳＩＮＲと、量子化を有するＳＩＮＲとの比が、（リニアスケールで）少なくともγであることを保証することが望まれ、ここで、γ≧１である。これは、次の条件を満たすようにコードブックのサイズを選択することにより、達成してもよい：
【数１０】
0005512819.tif 000011
【００５７】
数式（７）において、不等号の右側に対する量は、セルｍに対するターゲットＩＳＲと考えてもよい。不等号の右側の第１の項は、量子化に起因する追加の干渉が、ＵＥにおける残留干渉とバランスが取られることを保証する。不等号の右側の第２の項は、量子化によるＳＩＮＲの劣化がターゲットレベルに制限されることを保証する。不等号の右側の第３の項は、補正係数である。
【００５８】
図４は、信号対残留干渉比（ＰRX,m／ＩRES）に対する、コードブックのサイズのグラフを示す。横軸は、ＰRX,m／ＩRESを表し、ｄＢの単位で与えられる。縦軸は、コードブックのサイズを表し、ビット数（Ｂ）で与えられる。グラフ４１０は、１ｄＢのＳＩＮＲ劣化（すなわち、γ＝１ｄＢ）を取得するための、ＰRX,m／ＩRESに対するコードブックのサイズを示す。グラフ４２０は、２ｄＢのＳＩＮＲ劣化を取得するための、ＰRX,m／ＩRESに対するコードブックのサイズを示す。グラフ４３０は、３ｄＢのＳＩＮＲ劣化を取得するための、ＰRX,m／ＩRESに対するコードブックのサイズを示す。図４中のグラフは、１つのセル（すなわち、Ｍ＝１）のケースに対して、数式（７）中の不等号の右側の最初の２項に基づいて取得される。第３の項を含めることにより、少量だけコードブックのサイズが増加するだろう。Ｍが２倍になるごとに、干渉抑制は３ｄＢだけ増加し、より大きなコードブックが必要とされる。図４中で示されているように、所定のＰRX,m／ＩRESに対して、次第に大きくなるコードブック（すなわち、より多くのビットを有するより精細な量子化）が、次第に小さくなるＳＩＮＲ劣化を取得するために必要とされる。
【００５９】
さらに別の設計において、コードブックのサイズは、セルの長期間のチャネル利得に基づいて選択されてもよい。１つの設計では、指定されたセルに対する測定されたチャネルベクトルを、予め定められているビット数ＢREFに基づいて量子化してもよい。指定されたセルは、担当セル、または、最も強いセル、または、他の何らかのセルであってもよい。残りの各セルに対する測定されたチャネルベクトルを、次のように表すことができる可変のビット数に基づいて量子化してもよい：
【数１１】
0005512819.tif 000012
【００６０】
ここで、Δｃm＝１０ｌｏｇ10（ｃREF／ｃm）は、（ｄＢでの）指定されたセルの長期間のチャネル利得と、セルｍの長期間のチャネル利得との間の差であり、
κは、コードブックのサイズを選択するために使用されるスケーリング係数であり、
Ｂmは、セルｍに対する、量子化のためのビット数である。
【００６１】
数式（８）中で示される設計において、セルｍに対する量子化のためのビット数は、指定されたセルの長期間のチャネル利得と比較した、セルｍの長期間のチャネル利得に依存してもよい。指定されたセルよりもΔｃmｄＢ弱いセルに対する、測定されたチャネルベクトルは、指定されたセルの測定されたチャネルベクトルに対して使用されるＢREFビットよりもκ・Δｃm少ないビットを使用して量子化されてもよい。スケーリング係数κは、良好な性能を得る一方で、フィードバックのオーバーヘッドを低減させるように選択してもよい。
【００６２】
固定された量子化に対して、スケーラブルな量子化を有するデータ送信の性能をシミュレートした。シミュレーションにおいて、異なる量のフィードバックのオーバーヘッドに対する、平均のスペクトル効率が、３つの量子化スキームに対して決定された。３つの量子化スキームは、数式（７）および（８）中で示した２つの量子化スキームと、すべてのセルに対して同じ数の量子化ビット（Ｂ）を有する、固定された量子化スキームとを含む。公正な比較のために、数式（７）および（８）中の２つの量子化スキームは、Ｂビットまたはより少ないビットに制限されている。
【００６３】
図５は、スケーラブルな量子化に対するシミュレーションの結果を示す。横軸は、１つのセルから１つのＵＥへの従来の送信に対する、平均のスペクトル効率における向上を表す。縦軸は、ＣＳＩ報告に対するビット数を表し、ＣＳＩ報告に対するビット数は、量子化された各チャネルベクトルを表すために使用されるビット数に依存する。グラフ５１０は、固定された量子化スキームに対する性能を示す。グラフ５２０は、数式（８）中で示した量子化スキームに対する性能を示す。グラフ５３０は、数式（７）中で示した量子化スキームに対する性能を示す。図５から観測できるように、数式（７）における量子化スキームは、（ｉ）所定の量のフィードバックオーバーヘッドに対して、他の２つの量子化スキームよりも、より良好な性能（例えば、より高いスペクトル効率）を提供し、および／または、（ｉｉ）所定の性能に対して、他の２つの量子化スキームよりも少ないフィードバックオーバーヘッドをもたらし得る。例えば、数式（７）中の量子化スキームは、固定された量子化スキームと比べて、フィードバックオーバーヘッドにおいてほぼ４０％の低減を提供する一方で、平均のスペクトル効率においてほぼ３０％の利得を保持する。図５中の結果は、結合処理に対するものである。同様の、フィードバックオーバーヘッドにおける低減および／または性能における向上は、協調したビームフォーミングのような、他のタイプのＣｏＭＰ送信に対しても取得され得る。
【００６４】
図５中で示したように、強いセルに対する、より大きなコードブックと、弱いセルに対する、より小さなコードブックとによる、スケーラブルな量子化は、すべてのセルに対して同じコードブックを使用する従来のスキームと比較して、性能を向上させ、および／またはフィードバックオーバーヘッドを低減させ得る。異なるセルの長期間のチャネル利得は、広範にわたって変化し得ることから、フィードバックオーバーヘッドにおける著しい低減は、弱いセルに対してより小さなコードブックを使用することにより達成され得る。さらに、コードブックのサイズは、セルの長期間のチャネル利得と、ＵＥにおける残留干渉とに基づいて選択されて、ＵＥにおけるＳＩＮＲの劣化が低減され得る。
【００６５】
ＬＴＥは、ダウンリンク上で直交周波数分割多重化（ＯＦＤＭ）を利用し、アップリンク上で単一搬送波周波数分割多重化（ＳＣ−ＦＤＭ）を利用する。ＯＦＤＭおよびＳＣ−ＦＤＭは、システムの帯域幅を複数（Ｋ個）の直交する副搬送波に分割し、副搬送波はまた、トーン、ビンなどと一般に呼ばれている。各副搬送波は、データにより変調してもよい。一般に、変調シンボルは、ＯＦＤＭでは周波数領域において送信され、ＳＣ−ＦＤＭでは時間領域において送信される。隣接する副搬送波の間隔は、固定されていてもよく、副搬送波の総数（ｋ）は、システムの帯域幅に依存してもよい。例えば、Ｋは、それぞれ、１．４、３、５、１０、１５または２０メガヘルツ（ＭＨｚ）のシステムの帯域幅に対して、７２、１８０、３００、６００、９００または１２００に等しくてもよい。多数の副帯域を規定してもよく、各副帯域は、多数の副搬送波を含んでいてもよい。所定の総数の副搬送波に対して、副帯域の数は、副帯域のサイズに反比例し得る。副帯域のサイズは、各副帯域中の副搬送波の数により与えられる。
【００６６】
別の観点において、スケーラブルなチャネルフィードバックを実行して、各セルに対するＣＳＩを報告するための、コードブックのサイズおよび副帯域のサイズを決定してもよい。副帯域のサイズは、ＣＳＩ報告に対する周波数における粒度を表してもよい。より大きなコードブックを使用してより多くのビットによりＣＳＩを量子化し、また、より小さな副帯域のサイズで、周波数におけるより精細な粒度によりＣＳＩを報告することにより、より正確なＣＳＩフィードバックを達成してもよいが、いずれも、フィードバックのオーバーヘッドを増加させるだろう。良好な性能を取得する一方で、フィードバックのオーバーヘッドを低減させるように、コードブックのサイズおよび副帯域のサイズを決定してもよい。
【００６７】
結合処理によるマルチポイント送信に対する、ＵＥでのＳＩＮＲを、次のように表してもよい：
【数１２】
0005512819.tif 000013
【００６８】
ここで、ｗm1は、ＵＥに送られるパケット１に対して、セルｍにより使用されるプリコーディングベクトルであり、
ｗmpは、別のＵＥに送られるパケットｐに対して、セルｍにより使用されるプリコーディングベクトルであり、
Ｐは、各セルによって送信されるパケットの数である。
【００６９】
ＳＩＮＲは、チャネル推定誤差や、周波数補間誤差や、量子化誤差のような、さまざまな要因によって劣化され得る。チャネル推定誤差および補間誤差を、次のようにモデル化してもよい：
【数１３】
0005512819.tif 000014
【００７０】
ここで、ｈ-mは、セルｍに対する、測定されたチャネルベクトルであり、
ｈmは、セルｍに対する、実際のチャネルベクトルであり、
ｅmは、チャネル推定および周波数にわたった補間に起因する誤差ベクトルである。
【００７１】
チャネル推定誤差および補間誤差は、Ｅ｛ｅmHem｝＝σ2mＩを有する加算性白色ガウス雑音（ＡＷＧＮ）であると仮定してもよい。ここでσ2mは、セルｍに対するチャネル推定誤差および補間誤差の分散であり、すべてのセルに対して、σ2m＜１である。
【００７２】
量子化誤差は、Ｂmビットにより、セルｍに対する測定されたチャネルベクトルを量子化することから生じる。量子化の精度は、次のように与えられてもよい：
【数１４】
0005512819.tif 000015
【００７３】
ここで、ｈ^mは、セルｍに対する、量子化されたチャネルベクトルであり、
αmは、チャネルベクトルと、その量子化されたバージョンとの間の正規化された相関であり、セルｍに対する、量子化の精度を表す。
【００７４】
量子化誤差の分散σ2m,qを、次のように表してもよい：
【数１５】
0005512819.tif 000016
【００７５】
干渉抑制比（ＩＳＲ）を、次のように、分散σ2m,qに基づいて定義してもよい：
【数１６】
0005512819.tif 000017
【００７６】
次に、ＵＥにおける平均のＳＩＮＲを次のように表してもよい：
【数１７】
0005512819.tif 000018
【００７７】
チャネル推定誤差および補間誤差の分散を、次のように分解してもよい：
【数１８】
0005512819.tif 000019
【００７８】
ここで、σ2m,eは、チャネル推定誤差の分散であり、
σ2m,fは、周波数にわたった補間に起因する誤差の分散である。
【００７９】
周波数補間誤差は、副帯域中のすべての副搬送波にわたってチャネルを平均することによるものであってもよく、副帯域のサイズに依存してもよい。チャネル推定誤差は、副帯域のサイズから独立し得るが、各セルに対するチャネルのＳＩＮＲに依存し得る。分散σ2m,qは、コードブックのサイズの関数であってもよい。分散σ2m,fは、副帯域のサイズの関数であってもよい。
【００８０】
１つの設計において、平均のＳＩＮＲにおける劣化がγ以下であるように、コードブックのサイズおよび副帯域のサイズを決定してもよく、平均のＳＩＮＲを次のように表してもよい：
【数１９】
0005512819.tif 000020
【００８１】
ここで、γ＞１である。数式（１６）中の、量子化誤差または周波数補間誤差を有さないＳＩＮＲは、σ2m,q＝０を有する数式（１４）に基づいて取得してもよい。
【００８２】
数式（１６）の左側における平均のＳＩＮＲは、数式（１４）の右側における表示に置き換えられてもよい。数式（１６）における条件を次のように表してもよい：
【数２０】
0005512819.tif 000021
【００８３】
ここで、
【数２１】
0005512819.tif 000022
【００８４】
である。
【００８５】
１つの設計において、コードブックのサイズに対する分散σ2m,qのグラフは、（例えば、コンピュータシミュレーションまたは経験的測定によって）異なるＳＩＮＲに対して決定されて、ルックアップテーブル中に記憶されてもよい。同様に、副帯域のサイズに対する分散σ2m,fのグラフは、（例えば、コンピュータシミュレーションまたは経験的測定によって）異なる量の干渉抑制に対して決定されて、ルックアップテーブル中に記憶されてもよい。各セルｍに対して、ルックアップテーブルにアクセスして、セルｍに対するＳＩＮＲおよび副帯域のサイズの異なる可能性ある組み合わせに対して分散σ2m,qおよびσ2m,fを決定してもよい。次に、分散σ2m,qおよびσ2m,fを使用して、数式（１６）または（１７）中で示した条件をテストしてもよい。条件を満たす、最も低いフィードバックオーバーヘッドを有する、コードブックのサイズおよび副帯域のサイズの組み合わせを、セルｍに対して使用するために選択してもよい。
【００８６】
別の設計において、分散σ2m,qおよびσ2m,fを、次のように指数関数によりモデル化してもよい：
【数２２】
0005512819.tif 000023
【００８７】
ここで、Ｂmは、セルｍに対する量子化ビットの数であり、
Ｓmは、セルｍに対する副帯域の数であり、
βmは、１つの副搬送波を含む各副帯域での補間誤差により規定されてもよい、セルｍに対する誤差フロアであり、
ａ、φおよびθは、カーブフィッティングに対して使用される定数であり、例えば、ａ＝２．０、φ＝１．０およびθ＝０．４である。
【００８８】
１つの設計において、以下の基準に基づいて、Ｍ個のすべてのセルに対する、コードブックのサイズおよび副帯域のサイズを、共同で決定してもよい：
数式（２３）の条件の下で、
【数２３】
0005512819.tif 000024
【数２４】
0005512819.tif 000025
【００８９】
ここで、ＢmＳmは、セルｍに対するフィードバックのオーバーヘッドであり、
ηは、Ｉ~RESを除いた、数式（１７）中の不等号の右側に関する量に等しい。
【００９０】
数式（２２）および（２３）中で示した設計において、Ｍ個のすべてのセルに対する、コードブックのサイズおよび副帯域のサイズは、すべてのセルに対するコードブックのサイズおよび副帯域のサイズの異なる可能性ある組み合わせを評価することにより、共同で決定され得る。可能性ある各組み合わせに対して、数式（２２）中の加算によって示すように、総フィードバックオーバーヘッドを決定してもよく、数式（２３）中の干渉基準を評価してもよい。数式（２３）中の干渉基準を満たす、最も低い総フィードバックオーバーヘッドを有する組み合わせを、使用のために選択してもよい。
【００９１】
別の設計において、各セルに対する、コードブックのサイズおよび副帯域のサイズを、次のように共同で決定してもよい：
数式２５の条件の下で、
【数２５】
0005512819.tif 000026
【数２６】
0005512819.tif 000027
【００９２】
ここで、ｆm（ＩRES,η）は、セルｍに対する、ＩRESおよびηの関数であり、例えば、ｆm（ＩRES,η）＝η・ＩRES／Ｍである。
【００９３】
数式（２４）および（２５）中で示した設計において、各セルｍに対する、コードブックのサイズおよび副帯域のサイズは、セルｍに対するコードブックのサイズＢmおよび副帯域のサイズＳmの異なる可能性ある組み合わせを評価することによって、共同で決定されてもよい。可能性ある各組み合わせに対して、数式（２４）中で示すように、フィードバックのオーバーヘッドを決定してもよく、数式（２５）中の干渉基準を評価してもよい。セルｍに対して干渉基準を満たす、最も低いフィードバックオーバーヘッドを有する組み合わせを、使用のために選択してもよい。
【００９４】
各セルに対する、または、Ｍ個のすべてのセルに対する、コードブックのサイズおよび副帯域のサイズは、さまざまな方法で、共同で決定されてもよい。１つの設計において、コードブックのサイズおよび副帯域のサイズの異なる組み合わせを評価してもよく、干渉基準を満たしながら、最も低いフィードバックオーバーヘッドを有する組み合わせを選択してもよい。評価に対して、コードブックのサイズおよび副帯域のサイズの異なる組み合わせを、予め定められている順序で、または、擬似ランダムの順序で選択してもよい。
【００９５】
別の設計において、コードブックのサイズおよび副帯域のサイズは、代替の最小化アルゴリズムに基づいて、共同で決定されてもよい。このアルゴリズムに対して、第１の変数（例えば、コードブックのサイズ）を初期値に固定してもよく、第２の変数（例えば、副帯域のサイズ）を変化させてもよい。干渉基準を満たしながら、最も低いフィードバックオーバーヘッドを提供する、第２の変数の値を選択してもよい。次に、第２の変数を選択した値に固定し、第１の変数を変化させてもよい。干渉基準を満たしながら、最も低いフィードバックオーバーヘッドを提供する、第１の変数の値を選択してもよい。第１および第２の変数が安定するまで、プロセスを繰り返してもよい。
【００９６】
さらに別の観点において、スケーラブルなチャネルフィードバックを実行して、コードブックのサイズと、各セルに対してＣＳＩを報告する報告間隔とを決定してもよい。報告間隔は、ＣＳＩ報告に対する、時間における粒度を表してもよい。より正確なＣＳＩフィードバックは、より大きなコードブックを使用してより多くのビットによりＣＳＩを量子化することにより、また、より短い報告間隔を有する時間において、より頻繁にＣＳＩを報告することにより、達成され得るが、いずれも、フィードバックオーバーヘッドを増加させるだろう。コードブックのサイズおよび報告の間隔は、良好な性能を得る一方で、フィードバックオーバーヘッドを低減させるように決定されてもよい。異なるセルに対してコードブックのサイズおよび副帯域のサイズを決定する先の記述を使用して、異なるセルに対してコードブックのサイズおよび報告間隔を決定してもよい。このケースでは、先の記述において、周波数にわたった補間に起因する誤差の分散（σ2m,f）は、時間にわたった補間に起因する誤差の分散（σ2m,t）に取って代わられてもよい。例えば、数式（１７）中の、セルｍからの追加の干渉を、ｃm（σ2m,q＋σ2m,t）として表してもよい。Ｍ個のすべてのセルに対する、コードブックのサイズおよび報告間隔を、上述のように決定してもよい。
【００９７】
さらに別の観点において、スケーラブルなチャネルフィードバックを実行して、各セルに対して、コードブックのサイズ、副帯域のサイズおよびＣＳＩを報告する報告間隔を決定してもよい。より正確なＣＳＩフィードバックは、より大きなコードブックを使用してより多くのビットによりＣＳＩを量子化し、また、より小さい副帯域のサイズで周波数におけるより精細な粒度により、および、より短い報告間隔を有する時間中でより頻繁にＣＳＩを報告することにより、達成され得るが、これらはいずれも、フィードバックのオーバーヘッドを増加させるだろう。コードブックのサイズ、副帯域のサイズおよび報告間隔は、良好な性能を得る一方で、フィードバックのオーバーヘッドを低減させるように決定されてもよい。異なるセルに対してコードブックのサイズおよび副帯域のサイズを決定する先の記述を使用して、異なるセルに対してコードブックのサイズ、副帯域のサイズおよび報告間隔を決定してもよい。このケースでは、先の記述において、周波数にわたった補間に起因する誤差の分散（σ2m,f）は、時間にわたった補間に起因する誤差の分散（σ2m,t）により（取って代わられる代わりに）追加されてもよい。例えば、数式（１７）中の、セルｍからの追加の干渉を、ｃm（σ2m,q＋σ2m,f＋σ2m,t）として表してもよい。Ｍ個のすべてのセルに対する、コードブックのサイズ、副帯域のサイズおよび報告間隔を、上述のように決定してもよい。
【００９８】
図６は、スケーラブルなチャネルフィードバックのためのチャネルプロセッサ６００の設計のブロックダイヤグラムを示す。チャネルプロセッサ６００は、ＵＥまたは他の何らかのエンティティの一部であってもよい。チャネルプロセッサ６００内で、ユニット６１０は、受信した参照シンボルおよび／または他の受信シンボルに基づいて、測定セット中の異なるセルの長期間のチャネル利得を決定してもよい。ユニット６２０は、ユニット６１０から異なるセルに対する長期間のチャネル利得と、ＵＥにおける残留干渉とを取得してもよく、上述したように、各セルに対して、コードブックのサイズ、または、副帯域のサイズ、または、報告間隔、または、他の何らかのスケーラブルなフィードバックパラメータ、あるいは、これらの組み合わせを決定してもよい。ユニット６３０は、受信参照シンボルに基づいてチャネル推定を実行してもよく、各セルに対して、コードブックのサイズ、副帯域のサイズおよび／または他のスケーラブルなフィードバックパラメータに基づいて、各セルに対するＣＳＩを生成させてもよい。
【００９９】
図７は、スケーラブルなチャネルフィードバックによりＣＳＩを報告するプロセス７００の設計を示す。プロセス７００は、（以下で記述するように）ＵＥにより、または、他の何らかのエンティティにより、実行してもよい。ＵＥは、複数のセルのそれぞれに対して、ＣＳＩの量子化の粒度を決定してもよい（ブロック７１２）。各セルに対する量子化の粒度は、ＵＥへのデータ送信の性能に影響を及ぼす、セルの少なくとも１つのパラメータに基づいて（例えば、ＵＥまたは担当セルまたは他の何らかのネットワークエンティティにより）選択されてもよい。１つの設計において、各セルに対するＣＳＩは、少なくとも１つのチャネルベクトル、または、少なくとも１つの等価チャネルベクトル、または、少なくとも１つの固有ベクトル、あるいは、これらの組み合わせを含んでいてもよい。１つの設計において、各セルの少なくとも１つのパラメータは、セルおよびＵＥ間の長期間のチャネル利得、または、ＵＥにおけるセルの受信電力、または、受信信号品質、または、他の何らかのパラメータ、あるいは、これらの組み合わせを含んでもよい。ＵＥは、各セルに対して決定された量子化の粒度に基づいて、各セル対するＣＳＩを量子化してもよい（ブロック７１４）。ＵＥは、複数のセルのそれぞれに対してＣＳＩを報告してもよい（ブロック７１６）。
【０１００】
ブロック７１２の１つの設計において、ＵＥは、複数のセルのそれぞれに対して、コードブックのサイズを決定してもよい。各セルに対するコードブックのサイズは、そのセルに対する少なくとも１つのパラメータに基づいて（例えば、ＵＥまたは他の何らかのエンティティにより）選択されてもよい。ＵＥは、各セルに対して決定されたコードブックサイズのコードブックに基づいて、各セルに対するＣＳＩを量子化してもよい。
【０１０１】
コードブックのサイズを選択する１つの設計において、例えば、数式（６）または（７）中で示されているように、長期間のチャネル利得またはＵＥにおけるセルに対する受信電力に基づいて、各セルに対するターゲットの干渉抑制を決定してもよい。各セルに対するターゲットの干渉抑制は、例えば、数式（７）中で示されているように、ＵＥにおける残留干渉に、または、量子化に起因する、ＵＥにおける受信信号品質におけるターゲットの劣化に、または他の何らかの要因に、あるいは、これらの組み合わせさらに基づいて決定されてもよい。各セルに対するコードブックのサイズは、例えば、干渉抑制に対するコードブックのサイズの、関数またはルックアップテーブルを使用して、セルに対するターゲット干渉抑制に基づいて決定されてもよい。
【０１０２】
コードブックのサイズを選択する別の設計において、例えば、数式（８）中で示されているように、各セルに対する量子化ビットの数を、セルに対する長期間のチャネル利得、指定されたセル（例えば、担当セル）に対する長期間のチャネル利得、および、指定されたセルに対する量子化ビットの数に基づいて決定してもよい。
【０１０３】
１つの設計において、ＵＥは、複数のセルのそれぞれに対して、ＣＳＩのフィードバックのための副帯域のサイズを決定してもよい。各セルに対する副帯域のサイズは、セルの少なくとも１つのパラメータに基づいて（例えば、ＵＥまたは他の何らかのエンティティにより）選択されてもよい。ＵＥは、各セルに対する副帯域のサイズに基づいて、各セルに対してＣＳＩを生成させてもよい。別の設計において、ＵＥは、複数のセルのそれぞれに対して、ＣＳＩのフィードバックのための報告間隔を決定してもよい。各セルに対する報告間隔は、セルの少なくとも１つのパラメータに基づいて（例えば、ＵＥまたは他の何らかのエンティティにより）選択されてもよい。ＵＥは、各セルに対する報告間隔に基づいて、各セルに対してＣＳＩを生成させてもよい。さらに別の設計において、ＵＥは、複数のセルのそれぞれに対して、ＣＳＩのフィードバックのための、副帯域のサイズおよび報告間隔を決定してもよい。各セルに対する、副帯域のサイズおよび報告間隔は、セルの少なくとも１つのパラメータに基づいて（例えば、ＵＥまたは他の何らかのエンティティにより）選択されてもよい。ＵＥは、各セルに対する副帯域のサイズおよび報告間隔に基づいて、各セルに対してＣＳＩを生成させてもよい。
【０１０４】
１つの設計において、コードブックのサイズ、副帯域のサイズ、および／または、報告間隔は、各セルに対して別々に決定されてもよい。別の設計において、コードブックのサイズ、副帯域のサイズ、および／または報告間隔は、一度に１つのセルに対して、または、複数のセルのすべてに対して、共同で決定されてもよい。
【０１０５】
１つの設計において、フィードバックのオーバーヘッドを低減させ、また、報告されたＣＳＩ中の誤差に起因する追加の干渉を低減させるために、コードブックのサイズ、副帯域のサイズ、および／または報告間隔を、少なくとも１つの基準に基づいて共同で決定してもよい。各セルからの追加の干渉を決定するために、各セルに対する量子化に起因する誤差の分散を、各セルに対するコードブックのサイズに基づいて、例えば、コードブックサイズのルックアップテーブルまたは関数により決定してもよい。各セルに対する周波数および／または時間における補間に起因する誤差の分散を、各セルに対する副帯域のサイズおよび報告間隔に基づいて、例えば、副帯域のサイズおよび／または報告間隔の、ルックアップテーブルまたは関数により決定してもよい。例えば、数式（１７）中で示されているように、セルに対する量子化に起因する誤差の分散、セルに対する周波数および／または時間における補間に起因する誤差の分散、および、セルに対する長期間のチャネル利得に基づいて、各セルからの追加の干渉を決定してもよい。例えば、数式（２２）中で示されているように、セルに対するコードブックのサイズ、副帯域のサイズ、および／または、報告間隔に基づいて、各セルに対するフィードバックのオーバーヘッドを決定してもよい。
【０１０６】
１つの設計において、コードブックのサイズ、副帯域のサイズ、および／または、報告間隔の異なる可能性ある組み合わせを評価することにより、コードブックのサイズ、副帯域のサイズ、および／または報告間隔を共同で決定してもよい。別の設計において、代わりに、（ｉ）コードブックのサイズを固定し、かつ、副帯域のサイズおよび／または報告間隔のそれぞれを変え、（ｉｉ）副帯域のサイズおよび／または報告間隔を固定し、かつ、コードブックのサイズを変えることにより、コードブックのサイズ、副帯域のサイズ、および／または、報告間隔を共同で決定してもよい。１つの設計において、例えば、数式（２２）および（２３）中で示されているように、すべてのセルに対する総フィードバックオーバーヘッドを低減させ、また、すべてのセルに対する、ＣＳＩにおける誤差に起因する追加の総干渉を低減させるための少なくとも１つの基準に基づいて、コードブックのサイズ、副帯域のサイズ、および／または、報告間隔を共同で決定してもよい。別の設計において、例えば、数式（２４）および（２５）中で示されているように、各セルに対するフィードバックのオーバーヘッドを低減させ、また、各セルに対する、ＣＳＩにおける誤差に起因する追加の干渉を低減させるための少なくとも１つの基準に基づいて、コードブックのサイズ、副帯域のサイズ、および／または、報告間隔を、各セルに対して共同で決定してもよい。
【０１０７】
ＵＥは、報告されたＣＳＩに基づいて少なくとも１つのセルにより送られたデータ送信を受信してもよい（ブロック７１８）。１つの設計において、例えば、結合処理によるＣｏＭＰ送信に対して、ＵＥは、複数のセル中の１組のセルからデータ送信を受信してもよい。データ送信は、１組のセルに対して報告されたＣＳＩに基づいて送られてもよい。別の設計において、例えば、協調したビームフォーミングによるＣｏＭＰ送信に対して、ＵＥは、複数のセル中のセルからデータ送信を受信してもよい。データ送信は、複数のセルに対して報告されたＣＳＩに基づいて決定された少なくとも１つのプリコーディングベクトルに基づいて送られてもよい。
【０１０８】
図８は、スケーラブルなチャネルフィードバックによりＣＳＩを報告する装置８００の設計を示す。装置８００は、複数のセルのそれぞれに対して、ＣＳＩの量子化の粒度を決定するモジュールであって、各セルに対する量子化の粒度は、ＵＥへのデータ送信の性能に影響を及ぼす、セルの少なくとも１つのパラメータに基づいて選択される、モジュール８１２と、セルに対して決定された量子化の粒度に基づいて、複数のセルのそれぞれに対するＣＳＩを量子化するモジュール８１４と、複数のセルのそれぞれに対してＣＳＩを報告するモジュール８１６と、報告されたＣＳＩに基づいて少なくとも１つのセルにより送られたデータ送信を受信するモジュール８１８とを含む。
【０１０９】
図９は、スケーラブルなチャネルフィードバックにより送られたＣＳＩを受信するプロセス９００の設計を示す。プロセス９００は、（以下で記述するように）セルによって、または、他の何らかのエンティティによって実行してもよい。セルは、データをＵＥに送信できる複数のセルのうちの１つであってもよく、ＵＥからセルに対するＣＳＩを受信してもよい（ブロック９１２）。セルに対するＣＳＩは、ＵＥへのデータ送信の性能に影響を及ぼす、セルの少なくとも１つのパラメータ、に基づいてセルに対して選択された量子化の粒度にしたがって、ＵＥにより量子化されていてもよい。１つの設計において、セルの少なくとも１つのパラメータは、セルおよびＵＥ間の長期間のチャネル利得、または、ＵＥにおけるセルの受信電力、または、受信信号品質、および／または、他の何らかのパラメータを含んでいてもよい。セルは、受信したＣＳＩに基づいて、ＵＥにデータ送信を送ってもよい（ブロック９１４）。データ送信は、複数のセル中の少なくとも１つのセルによって送られてもよく、少なくとも１つのセルは、前記セルを含む。
【０１１０】
１つの設計において、セルは、セルの少なくとも１つのパラメータに基づいてセルに対して選択された、コードブックのサイズを決定してもよい。セルは、セルに対するＣＳＩと、セルに対して選択されたコードブックのサイズのコードブックとに基づいて、セルに対する、少なくとも１つのチャネルベクトル、または、少なくとも１つの等価チャネルベクトル、または、少なくとも１つの固有ベクトルを取得してもよい。
【０１１１】
１つの設計において、セルは、セルの少なくとも１つのパラメータに基づいてセルに対して選択された副帯域のサイズを決定してもよい。セルは、セルに対して選択された副帯域のサイズの少なくとも１つの副帯域に対する、少なくとも１つのチャネルベクトル、または、少なくとも１つの等価チャネルベクトル、または、少なくとも１つの固有ベクトルを取得してもよい。別の設計において、セルは、セルの少なくとも１つのパラメータに基づいてセルに対して選択された報告間隔を決定してもよい。セルは、セルに対する報告間隔に基づいてＵＥにより送られた、セルに対するＣＳＩを受信してもよい。さらに、別の設計において、セルは、セルの少なくとも１つのパラメータに基づいてセルに対して選択された、副帯域のサイズおよび報告間隔を決定してもよい。セルは、セルに対する副帯域のサイズおよび報告間隔に基づいてＵＥにより送られた、セルに対するＣＳＩを受信してもよい。
【０１１２】
１つの設計において、セルに対するコードブックのサイズ、副帯域のサイズおよび／または報告間隔は、別々に決定されてもよい。別の設計において、例えば、一度に１つのセルに対して、または、複数のセルのすべてに対して、セルに対するコードブックのサイズ、副帯域のサイズおよび／または報告間隔を、共同で決定してもよい。
【０１１３】
１つの設計において、結合処理によるＣｏＭＰ送信に対して、少なくとも１つのセルは、複数のセル中の１組のセルを含んでいてもよい。１組のセルに対するプリコーディングベクトルは、１組のセルに対してＵＥにより報告されたＣＳＩに基づいて決定されてもよい。データ送信は、プリコーディングベクトルに基づいて、ＵＥに対して１組のセルにより送られてもよい。
【０１１４】
別の設計において、協調したビームフォーミングによるＣｏＭＰ送信に対して、少なくとも１つのセルは、唯一のセルを含んでいてもよい。少なくとも１つのプリコーディングベクトルを、複数のセルに対してＵＥにより報告されたＣＳＩに基づいて決定してもよい。ＵＥの方向に、および、複数のセル中の少なくとも１つの他のセルにより担当されている少なくとも１つのＵＥから離れる方向にデータ送信を向けるために、データ送信は、少なくとも１つのプリコーディングベクトルに基づいて、ＵＥに対してセルにより送られてもよい。
【０１１５】
図１０は、スケーラブルなチャネルフィードバックにより送られたＣＳＩを受信する装置１０００の設計を示す。装置１０００は、複数のセルの中の１つのセルに対するＣＳＩを受信するモジュールであって、セルに対するＣＳＩは、ＵＥへのデータ送信の性能に影響を及ぼす、セルの少なくとも１つのパラメータ、に基づいてセルに対して選択された量子化の粒度にしたがってＵＥにより量子化されている、モジュール１０１２と、受信したＣＳＩに基づいて、セルからＵＥにデータ送信を送るモジュールであって、データ送信は、複数のセル中の少なくとも１つのセルにより送られ、少なくとも１つのセルは、前記セルを含む、モジュール１０１４とを含む。
【０１１６】
図８および１０中のモジュールは、プロセッサ、電子デバイス、ハードウェアデバイス、電子コンポーネント、論理回路、メモリ、ソフトウェアコード、ファームウェアコードなど、あるいは、これらの任意の組み合わせを備えていてもよい。
【０１１７】
図１１は、基地局／ｅＮＢ１１０およびＵＥ１２０の設計のブロック図を示しており、この基地局／ｅＮＢ１１０およびＵＥ１２０は、図１中の、基地局／ｅＮＢのうちの１つ、および、ＵＥのうちの１つであってもよい。基地局１１０は、１つ以上のセルを担当していてもよく、この基地局１１０には、Ｔ本のアンテナ１１３４ａないし１１３４ｔが備えられていてもよく、ここでは、Ｔ＞１である。ＵＥ１２０には、Ｒ本のアンテナ１１５２ａないし１１５２ｒが備えられていてもよく、ここでは、Ｒ≧１である。
【０１１８】
基地局１１０では、送信プロセッサ１１２０が、データ源１１１２から１つ以上のＵＥ用のデータを受け取り、１つ以上の変調およびコーディングスキームに基づいて、各ＵＥに対するデータを処理して、データシンボルをすべてのＵＥに提供してもよい。プロセッサ１１２０はまた、制御装置／プロセッサ１１４０からの制御情報を受け取って処理し、制御シンボルを提供してもよい。プロセッサ１１２０はまた、１つ以上の参照信号に対する参照シンボルも発生させてもよい。送信（ＴＸ）ＭＩＭＯプロセッサ１１３０は、適用可能な場合、データシンボル上で、制御シンボル上で、および／または参照シンボル上で、プリコーディングを実行してもよく、Ｔ個の出力シンボルストリームをＴ個の変調器（ＭＯＤ）１１３２ａないし１１３２ｔに提供してもよい。各変調器１１３２は、（例えば、ＯＦＤＭ等のために）各出力シンボルストリームを処理して、出力サンプルストリームを取得してもよい。各変調器１１３２は、出力サンプルストリームをさらに処理（例えば、アナログコンバート、増幅、フィルタリング、およびアップコンバート）し、ダウンリンク信号を取得してもよい。Ｔ本のアンテナ１１３４ａないし１１３４ｔを通して、変調器１１３２ａないし１１３２ｔからのＴ個のダウンリンク信号を、それぞれ、送信してもよい。
【０１１９】
ＵＥ１２０では、アンテナ１１５２ａないし１１５２ｒが、ダウンリンク信号を基地局１１０および他の基地局から受信してもよく、それぞれ、受信信号を復調器（ＤＥＭＯＤ）１１５４ａないし１１５４ｒに提供してもよい。各復調器１１５４は、各受信信号を調整（例えば、フィルタリング、増幅、ダウンコンバート、およびデジタル化）して、入力サンプルを取得してもよい。各復調器１１５４は、（例えば、ＯＦＤＭ等のために）入力サンプルをさらに処理して、受信シンボルを取得してもよい。ＭＩＭＯ検出器１１５６は、受信シンボルをＲ個の復調器１１５４ａないし１１５４ｒすべてから取得し、適用可能な場合に、受信シンボル上でＭＩＭＯ検出を実行し、検出されたシンボルを提供してもよい。受信プロセッサ１１５８は、検出されたシンボルを処理（例えば、復調およびデコード）し、ＵＥ１２０に対するデコードされたデータをデータシンク１１６０に提供し、デコードされた制御情報を制御装置／プロセッサ１１８０に提供してもよい。
【０１２０】
アップリンク上で、ＵＥ１２０では、送信プロセッサ１１６４が、データをデータ源１１６２から、そして制御情報（例えば、ＣＳＩ）を制御装置／プロセッサ１１８０から受け取ってもよい。プロセッサ１１６４は、データと制御情報とを処理（例えば、エンコードおよび変調）し、データシンボルと制御シンボルとをそれぞれ取得してもよい。プロセッサ１１６４はまた、１つ以上の参照信号に対する参照シンボルを発生させてもよい。（例えば、ＳＣ−ＦＤＭ、ＯＦＤＭ等のために）送信プロセッサ１１６４からのシンボルを、適用可能な場合、ＴＸ ＭＩＭＯプロセッサ１１６６によってプリコーディングし、変調器１１５４ａないし１１５４ｒによってさらに処理し、基地局１１０に、そして場合によっては他の基地局に送信してもよい。基地局１１０において、ＵＥ１２０と他のＵＥとからのアップリンク信号を、アンテナ１１３４によって受信し、復調器１１３２によって処理し、適用可能な場合にＭＩＭＯ検出器１１３６によって検出し、受信プロセッサ１１３８によってさらに処理し、ＵＥ１２０および他のＵＥによって送られた、デコードされたデータと制御情報とを取得してもよい。プロセッサ１１３８は、デコードされたデータをデータシンク１１３９に、そして、デコードされた制御情報を制御装置／プロセッサ１１４０に提供してもよい。
【０１２１】
スケーラブルなチャネルフィードバックに対して、ＵＥ１２０におけるチャネルプロセッサ１１８４は、ＵＥ１２０に対する測定セット中の各セルに対してチャネル応答（例えば、チャネル行列）を推定してもよい。プロセッサ１１８０および／または１１８４は、例えば、上述したように、各セルに対して推定されたチャネル応答に基づいて、各セルに対するＣＳＩを決定してもよい。プロセッサ１１８０および／または１１８４は、図６中のチャネルプロセッサ６００を実現してもよい。
【０１２２】
制御装置／プロセッサ１１４０および１１８０は、それぞれ、基地局１１０およびＵＥ１２０における動作を指示してもよい。基地局１１０における、プロセッサ１１４０および／または他のプロセッサおよびモジュールは、図９中のプロセス９００を、および／または、ここで記述した技術に対する他のプロセスを、実行または指示してもよい。ＵＥ１２０における、プロセッサ１１８０および／または他のプロセッサおよびモジュールは、図７中のプロセス７００を、および／または、ここで記述した技術に対する他のプロセスを、実行または指示してもよい。メモリ１１４２および１１８２は、それぞれ、基地局１１０およびＵＥ１２０に対する、データおよびプログラムコードを記憶してもよい。スケジューラ１１４４は、ダウンリンクおよび／またはアップリンク上でのデータ送信のためにＵＥをスケジューリングしてもよい。
【０１２３】
さまざまな異なるテクノロジーおよび技術のうちの任意のものを使用して、情報および信号を表してもよいことを、当業者は理解するだろう。例えば、上記の記述全体を通して参照した、データ、命令、コマンド、情報、信号、ビット、シンボル、およびチップは、電圧、電流、電磁波、磁気フィールドまたは微粒子、光学フィールドまたは光学微粒子、あるいはこれらの任意の組み合わせによって表してもよい。
【０１２４】
ここでの開示に関連して記述した、さまざまな例示的な論理ブロック、モジュール、回路、およびアルゴリズムステップは、電子ハードウェア、コンピュータソフトウェア、あるいは双方を組み合わせたものとして実現してもよいことを、当業者はさらに正しく認識するだろう。ハードウェアおよびソフトウェアのこの互換性を明確に図示するために、さまざまな例示的なコンポーネント、ブロック、モジュール、回路、およびステップを、これらの機能性の観点に関して上記で概して記述している。このような機能性が、ハードウェアまたはソフトウェアとして実現されるか否かは、システム全体に課せられている、特定のアプリケーションおよび設計制約に依存する。熟練者が、それぞれの特定のアプリケーションのための方法を変えて、記述した機能性を実現するかもしれないが、このようなインプリメンテーションの決定は、本開示の範囲から逸脱が生じるとして解釈されるべきでない。
【０１２５】
ここでの開示に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、ここで記述した機能を実行するように設計されているこれらの任意の組み合わせで実現しても、あるいは、実行してもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、このような他の何らかの構成として実現してもよい。
【０１２６】
ここでの開示に関連して記述した、方法またはアルゴリズムのステップは、ハードウェアで、プロセッサによって実行されるソフトウェアモジュールで、または、２つのものを組み合わせたもので直接的に具体化されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または技術的に知られている記憶媒体の他の何らかの形態で存在していてもよい。プロセッサが記憶媒体から情報を読み取ったり、記憶媒体に情報を書き込んだりできるように、例示的な記憶媒体はプロセッサに結合されている。代替実施形態では、記憶媒体は、プロセッサと一体化されてもよい。プロセッサおよび記憶媒体は、ＡＳＩＣ中に存在していてもよい。ＡＳＩＣは、ユーザ端末中に存在していてもよい。代替実施形態では、プロセッサおよび記憶媒体は、ユーザ端末中にディスクリートコンポーネントとして存在していてもよい。
【０１２７】
１つ以上の例示的な設計では、記述した機能は、ハードウェア、ソフトウェア、ファームウェア、またはこれらの任意の組み合わせで実現してもよい。ソフトウェア中で実現した場合、機能は、１つ以上の命令またはコードとしてコンピュータ読み取り可能媒体上に記憶されてもよく、あるいは、１つ以上の命令またはコードとしてコンピュータ読み取り可能媒体上に送信されてもよい。コンピュータ読み取り可能媒体は、１つの場所から別の場所へのコンピュータプログラムの転送を促進する何らかの媒体を含む、コンピュータ記憶媒体および通信媒体の双方を含む。記憶媒体は、汎用コンピュータまたは特殊目的コンピュータによってアクセスできる何らかの利用可能な媒体であってもよい。例示によると、このようなコンピュータ読み取り可能な媒体は、ＲＡＭ、ＲＯＭ、ＥＥＰＲＯＭ、ＣＤ−ＲＯＭ、または他の光ディスク記憶デバイス、磁気ディスク記憶デバイス、または他の磁気記憶デバイス、あるいは命令またはデータ構成の形態で所望のプログラムコード手段を伝送または記憶するために使用でき、汎用または特殊目的コンピュータあるいは汎用または特殊目的プロセッサによってアクセスできる他の何らかの媒体を含むことができるが、これらに限定されない。また、あらゆる接続は、コンピュータ読み取り可能媒体と適切に呼ばれている。例えば、ソフトウェアが、ウェブサイトから、サーバから、あるいは、同軸ケーブル、ファイバ光ケーブル、撚り対、デジタル加入者線（ＤＳＬ）、または赤外線や、無線や、マイクロ波のようなワイヤレス技術を使用している他の遠隔ソースから送信された場合、同軸ケーブル、ファイバ光ケーブル、撚り対、ＤＳＬ、あるいは、赤外線や、無線や、マイクロ波のようなワイヤレス技術は、媒体の定義に含まれる。ここで使用したようなディスク（ｄｉｓｋおよびｄｉｓｃ）は、コンパクトディスク（ＣＤ）、レーザディスク、光ディスク、デジタル汎用ディスク（ＤＶＤ）、フロッピー（登録商標）ディスク、およびブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読み取り可能媒体の範囲内に含められるべきである。
【０１２８】
いかなる当業者であっても本開示を実施しまたは使用できるように、本開示の記述をこれまでに提供している。本開示に対してさまざまな修正が当業者に容易に明らかであり、本開示の精神または範囲から逸脱することなく、ここで規定した一般的な原理を、他のバリエーションに適用してもよい。したがって、本開示は、ここで記述した例および設計に限定されるように意図されていないが、ここで開示した原理および新規な特徴に矛盾しない最も広い範囲に一致すべきである。
以下に、本願出願の当初の特許請求の範囲に記載された発明を付記する。
［１］  ワイヤレス通信のための方法において、複数のセルのそれぞれに対して、チャネル状態情報（ＣＳＩ）の量子化の粒度を決定し、各セルに対する前記量子化の粒度は、ユーザ機器（ＵＥ）へのデータ送信の性能に影響を及ぼす、前記セルの少なくとも１つのパラメータに基づいて選択されることと、前記セルに対して決定された量子化の粒度に基づいて、前記複数のセルのそれぞれに対する前記ＣＳＩを量子化することと、前記複数のセルのそれぞれに対して前記ＣＳＩを報告することとを含む方法。
［２］  前記各セルの少なくとも１つのパラメータは、前記セルと前記ＵＥとの間の長期間のチャネル利得、または、前記ＵＥにおける、前記セルの受信電力、あるいは、両方を含む［１］に記載の方法。
［３］  前記量子化の粒度を決定することは、前記セルに対する少なくとも１つのパラメータに基づいて、前記複数のセルのそれぞれに対するコードブックのサイズを決定することを含み、前記複数のセルのそれぞれに対する前記ＣＳＩを量子化することは、前記セルに対して決定されたコードブックのサイズのコードブックに基づいて、各セルに対する前記ＣＳＩを量子化することを含む［１］に記載の方法。
［４］  前記コードブックのサイズを決定することは、長期間のチャネル利得または前記セルに対する受信電力に基づいて、各セルに対するターゲット干渉抑制を決定することと、前記セルに対するターゲット干渉抑制に基づいて、各セルに対する前記コードブックのサイズを決定することとを含む[３]記載の方法。
[５]  前記各セルに対するターゲット干渉抑制は、前記ＵＥにおける残留干渉にさらに基づいて決定される[４]記載の方法。
[６]  前記各セルに対するターゲット干渉抑制は、量子化に起因する、前記ＵＥでの受信信号品質におけるターゲット劣化にさらに基づいて決定される[４]記載の方法。
[７]  前記量子化の粒度を決定することは、前記セルに対する長期間のチャネル利得と、指定されたセルに対する長期間のチャネル利得と、前記指定されたセルに対する量子化ビットの数とに基づいて、各セルに対する量子化ビットの数を決定することを含む[１]記載の方法。
[８]  各セルに対する前記ＣＳＩは、少なくとも１つのチャネルベクトル、または、少なくとも１つの等価チャネルベクトル、または、少なくとも１つの固有ベクトル、あるいは、これらの組み合わせを含む[１]記載の方法。
[９]  前記複数のセルのそれぞれに対して、ＣＳＩのフィードバックに対する副帯域のサイズを決定し、各セルに対する前記副帯域のサイズは、前記セルの少なくとも１つのパラメータに基づいて選択されることと、前記セルに対する副帯域のサイズに基づいて、前記複数のセルのそれぞれに対して前記ＣＳＩを生成させることとをさらに含む[１]記載の方法。
[１０]  前記各セルに対する量子化の粒度は、副帯域のサイズを含み、前記コードブックのサイズおよび前記副帯域のサイズは、フィードバックのオーバーヘッドを低減させ、前記報告されるＣＳＩ中の誤差に起因する追加の干渉を低減させるための少なくとも１つの基準に基づいて、共同で決定される[９]記載の方法。
[１１]  前記複数のセルのそれぞれに対して、ＣＳＩのフィードバックに対する報告間隔を決定し、各セルに対する前記報告間隔は、前記セルの少なくとも１つのパラメータに基づいて選択されることと、前記セルに対する報告間隔に基づいて、前記複数のセルのそれぞれに対して前記ＣＳＩを生成させることとをさらに含む[１]記載の方法。
[１２]  前記複数のセルのそれぞれに対して、ＣＳＩのフィードバックに対する、副帯域のサイズ、または、報告間隔、あるいは両方を決定し、各セルに対する、前記副帯域のサイズ、または、前記報告間隔、あるいは両方は、前記セルの少なくとも１つのパラメータに基づいて選択されることと、前記セルに対する、前記副帯域のサイズ、または、前記報告間隔、あるいは両方に基づいて、前記複数のセルのそれぞれに対して前記ＣＳＩを生成させることとをさらに含む[３]記載の方法。
[１３]  前記セルに対するコードブックのサイズに基づいて、各セルに対する量子化に起因する誤差の分散を決定することと、前記セルに対する、前記副帯域のサイズ、または、前記報告間隔、あるいは両方に基づいて、各セルに対する、周波数、または、時間、あるいは両方における補間に起因する誤差の分散を決定することと、前記セルに対する量子化に起因する誤差の分散と、前記セルに対する、周波数、または、時間、あるいは両方における補間に起因する誤差の分散と、前記セルに対する長期間のチャネル利得とに基づいて、各セルからの追加の干渉を決定することとをさらに含む[１２]記載の方法。
[１４]  前記量子化に起因する誤差の分散は、コードブックのサイズの関数によりモデル化され、前記周波数、または、時間、あるいは両方における補間に起因する誤差の分散は、副帯域のサイズ、または、報告間隔、あるいは、両方の関数によりモデル化される[１３]記載の方法。
[１５]  前記コードブックのサイズと、前記副帯域のサイズおよび前記報告間隔のうちの少なくとも１つとは、コードブックのサイズと、副帯域のサイズおよび報告間隔のうちの少なくとも１つとの異なる可能性ある組み合わせを評価することにより、共同で決定される[１２]記載の方法。
[１６]  前記コードブックのサイズと、前記副帯域のサイズおよび前記報告間隔のうちの少なくとも１つとは、代わりに、前記コードブックのサイズを固定し、前記副帯域のサイズおよび前記報告間隔のうちの少なくとも１つのそれぞれを変化させ、かつ、前記副帯域のサイズおよび前記報告間隔のうちの少なくとも１つを固定し、前記コードブックのサイズを変化させることにより、共同で決定される[１２]記載の方法。
[１７]  前記複数のセルのすべてに対する、コードブックのサイズと、副帯域のサイズおよび報告間隔のうちの少なくとも１つとは、すべてのセルに対する、総合のフィードバックのオーバーヘッドを低減させ、すべてのセルに対する、前記ＣＳＩ中の誤差に起因する総合の追加の干渉を低減させるための少なくとも１つの基準に基づいて、共同で決定される[１２]記載の方法。
[１８]  前記複数のセルのそれぞれに対する、前記コードブックのサイズと、前記副帯域のサイズおよび前記報告間隔のうちの少なくとも１つとは、前記セルに対するフィードバックのオーバーヘッドを低減させ、前記セルに対する前記ＣＳＩ中の誤差に起因する追加の干渉を低減させるための少なくとも１つの基準に基づいて、共同で決定される[１２]記載の方法。
[１９]  前記複数のセル中の１組のセルからデータ送信を受信することをさらに含み、前記データ送信は、前記１組のセルに対して報告された前記ＣＳＩに基づいて送られる[１]記載の方法。
[２０]  前記複数のセル中のセルからデータ送信を受信することをさらに含み、前記データ送信は、前記複数のセルに対して報告された前記ＣＳＩに基づいて決定された少なくとも１つのプリコーディングベクトルに基づいて送られる[１]記載の方法。
[２１]  ワイヤレス通信のための装置において、複数のセルのそれぞれに対して、チャネル状態情報（ＣＳＩ）の量子化の粒度を決定する手段であって、各セルに対する前記量子化の粒度は、ユーザ機器（ＵＥ）へのデータ送信の性能に影響を及ぼす、前記セルの少なくとも１つのパラメータに基づいて選択される手段と、前記セルに対して決定された量子化の粒度に基づいて、前記複数のセルのそれぞれに対する前記ＣＳＩを量子化する手段と、前記複数のセルのそれぞれに対して前記ＣＳＩを報告する手段とを具備する装置。
[２２]  前記各セルの少なくとも１つのパラメータは、前記セルと前記ＵＥとの間の長期間のチャネル利得、または、前記ＵＥにおける、前記セルの受信電力、あるいは、両方を含む[２１]記載の装置。
[２３]  前記量子化の粒度を決定する手段は、前記セルに対する少なくとも１つのパラメータに基づいて、前記複数のセルのそれぞれに対するコードブックのサイズを決定する手段を備え、前記複数のセルのそれぞれに対する前記ＣＳＩを量子化する手段は、前記セルに対して決定されたコードブックのサイズのコードブックに基づいて、各セルに対する前記ＣＳＩを量子化する手段を備える[２１]記載の装置。
[２４]  前記量子化の粒度を決定する手段は、前記セルに対する長期間のチャネル利得と、指定されたセルに対する長期間のチャネル利得と、前記指定されたセルに対する量子化ビットの数とに基づいて、各セルに対する量子化ビットの数を決定する手段を備える[２１]記載の装置。
[２５]  前記複数のセルのそれぞれに対して、ＣＳＩのフィードバックに対する副帯域のサイズを決定する手段であって、各セルに対する前記副帯域のサイズは、前記セルの少なくとも１つのパラメータに基づいて選択される、手段と、前記セルに対する副帯域のサイズに基づいて、前記複数のセルのそれぞれに対して前記ＣＳＩを生成させる手段とをさらに具備する[２１]記載の装置。
[２６]  前記複数のセルのそれぞれに対して、ＣＳＩのフィードバックに対する報告間隔を決定する手段であって、各セルに対する前記報告間隔は、前記セルの少なくとも１つのパラメータに基づいて選択される手段と、前記セルに対する報告間隔に基づいて、前記複数のセルのそれぞれに対して前記ＣＳＩを生成させる手段とをさらに具備する[２１]記載の装置。
[２７]  ワイヤレス通信のための装置において、複数のセルのそれぞれに対して、チャネル状態情報（ＣＳＩ）の量子化の粒度を決定し、前記セルに対して決定された量子化の粒度に基づいて、前記複数のセルのそれぞれに対する前記ＣＳＩを量子化し、前記複数のセルのそれぞれに対して前記ＣＳＩを報告するように構成されている少なくとも１つのプロセッサを具備し、各セルに対する前記量子化の粒度は、ユーザ機器（ＵＥ）へのデータ送信の性能に影響を及ぼす、前記セルの少なくとも１つのパラメータに基づいて選択される装置。
[２８]  前記各セルの少なくとも１つのパラメータは、前記セルと前記ＵＥとの間の長期間のチャネル利得、または、前記ＵＥにおける、前記セルの受信電力、あるいは、両方を含む[２７]記載の装置。
[２９]  前記少なくとも１つのプロセッサは、前記セルに対する少なくとも１つのパラメータに基づいて、前記複数のセルのそれぞれに対するコードブックのサイズを決定し、前記セルに対して決定されたコードブックのサイズのコードブックに基づいて、各セルに対する前記ＣＳＩを量子化するように構成されている[２７]記載の装置。
[３０]  前記少なくとも１つのプロセッサは、前記セルに対する長期間のチャネル利得と、指定されたセルに対する長期間のチャネル利得と、前記指定されたセルに対する量子化ビットの数とに基づいて、各セルに対する量子化ビットの数を決定するように構成されている[２７]記載の装置。
[３１]  前記少なくとも１つのプロセッサは、前記複数のセルのそれぞれに対して、ＣＳＩのフィードバックに対する副帯域のサイズを決定し、前記セルに対する副帯域のサイズに基づいて、前記複数のセルのそれぞれに対して前記ＣＳＩを生成させるように構成されており、各セルに対する前記副帯域のサイズは、前記セルの少なくとも１つのパラメータに基づいて選択される[２７]記載の装置。
[３２]  前記少なくとも１つのプロセッサは、前記複数のセルのそれぞれに対して、ＣＳＩのフィードバックに対する報告間隔を決定し、前記セルに対する報告間隔に基づいて、前記複数のセルのそれぞれに対して前記ＣＳＩを生成させるように構成されており、各セルに対する前記報告間隔は、前記セルの少なくとも１つのパラメータに基づいて選択される[２７]記載の装置。
[３３]  コンピュータプログラムプロダクトにおいて、非一時的コンピュータ読み取り可能媒体を具備し、前記非一時的コンピュータ読み取り可能媒体は、少なくとも１つのコンピュータに、複数のセルのそれぞれに対して、チャネル状態情報（ＣＳＩ）の量子化の粒度を決定させるためのコードと、前記少なくとも１つのコンピュータに、前記セルに対して決定された量子化の粒度に基づいて、前記複数のセルのそれぞれに対する前記ＣＳＩを量子化させるためのコードと、前記少なくとも１つのコンピュータに、前記複数のセルのそれぞれに対して前記ＣＳＩを報告させるためのコードとを含み、各セルに対する前記量子化の粒度は、ユーザ機器（ＵＥ）へのデータ送信の性能に影響を及ぼす、前記セルの少なくとも１つのパラメータに基づいて選択される、コンピュータプログラムプロダクト。
[３４]  ワイヤレス通信のための方法において、複数のセル中のセルに対するチャネル状態情報（ＣＳＩ）を受信し、前記セルに対するＣＳＩは、ユーザ機器（ＵＥ）へのデータ送信の性能に影響を及ぼす、前記セルの少なくとも１つのパラメータ、に基づいて前記セルに対して選択された量子化の粒度にしたがって、前記ＵＥによって量子化されていることと、前記受信したＣＳＩに基づいて、前記セルから前記ＵＥにデータ送信を送り、前記データ送信は、前記複数のセル中の少なくとも１つのセルによって送られ、前記少なくとも１つのセルは、前記セルを含むこととを含む方法。
[３５]  前記セルの少なくとも１つのパラメータは、前記セルと前記ＵＥとの間の長期間のチャネル利得、または、前記ＵＥにおける、前記セルの受信電力、あるいは、両方を含む[３４]記載の方法。
[３６]  前記セルの少なくとも１つのパラメータに基づいて前記セルに対して選択された、コードブックのサイズを決定することと、前記セルに対するＣＳＩと、前記セルに対して選択されたコードブックのサイズのコードブックとに基づいて、前記セルに対する、少なくとも１つのチャネルベクトル、または、少なくとも１つの等価チャネルベクトル、または、少なくとも１つの固有ベクトルを取得することとをさらに含む[３４]記載の方法。
[３７]  前記セルの少なくとも１つのパラメータに基づいて前記セルに対して選択された、副帯域のサイズを決定することと、前記セルに対して選択された副帯域のサイズの、少なくとも１つの副帯域に対する、少なくとも１つのチャネルベクトル、または、少なくとも１つの等価チャネルベクトル、または、少なくとも１つの固有ベクトルを取得することとをさらに含む[３４]記載の方法。
[３８]  前記セルの少なくとも１つのパラメータに基づいて前記セルに対して選択された、報告間隔を決定することをさらに含み、前記セルに対するＣＳＩは、前記セルに対する報告間隔に基づいて前記ＵＥにより送られる[３４]記載の方法。
[３９]  前記少なくとも１つのセルは、前記複数のセル中の１組のセルを含み、前記１組のセルに対するプリコーディングベクトルは、前記１組のセルに対して前記ＵＥにより報告されたＣＳＩに基づいて決定され、前記データ送信は、前記プリコーディングベクトルに基づいて、前記１組のセルにより前記ＵＥに送られる[３４]記載の方法。
[４０]  前記少なくとも１つのセルは、前記セルだけを含み、少なくとも１つのプリコーディングベクトルが、前記複数のセルに対して前記ＵＥにより報告されたＣＳＩに基づいて決定され、前記データ送信は、前記ＵＥの方向に、および、前記複数のセル中の少なくとも１つの他のセルにより担当されている少なくとも１つのＵＥから離れる方向に前記データ送信を向けるために、前記少なくとも１つのプリコーディングベクトルに基づいて、前記セルにより前記ＵＥに送られる[３４]記載の方法。
[４１]  ワイヤレス通信のための装置において、複数のセル中のセルに対するチャネル状態情報（ＣＳＩ）を受信する手段であって、前記セルに対するＣＳＩは、ユーザ機器（ＵＥ）へのデータ送信の性能に影響を及ぼす、前記セルの少なくとも１つのパラメータ、に基づいて前記セルに対して選択された量子化の粒度にしたがって、前記ＵＥによって量子化されている、手段と、前記受信したＣＳＩに基づいて、前記セルから前記ＵＥにデータ送信を送る手段であって、前記データ送信は、前記複数のセル中の少なくとも１つのセルによって送られ、前記少なくとも１つのセルは、前記セルを含む、手段とを具備する装置。
[４２]  前記セルの少なくとも１つのパラメータは、前記セルと前記ＵＥとの間の長期間のチャネル利得、または、前記ＵＥにおける、前記セルの受信電力、あるいは、両方を含む[４１]記載の装置。
[４３]  前記セルの少なくとも１つのパラメータに基づいて前記セルに対して選択された、コードブックのサイズを決定する手段と、前記セルに対するＣＳＩと、前記セルに対して選択されたコードブックのサイズのコードブックとに基づいて、前記セルに対する、少なくとも１つのチャネルベクトル、または、少なくとも１つの等価チャネルベクトル、または、少なくとも１つの固有ベクトルを取得する手段とをさらに具備する[４１]記載の装置。
[４４]  前記セルの少なくとも１つのパラメータに基づいて前記セルに対して選択された、副帯域のサイズを決定する手段と、前記セルに対して選択された副帯域のサイズの、少なくとも１つの副帯域に対する、少なくとも１つのチャネルベクトル、または、少なくとも１つの等価チャネルベクトル、または、少なくとも１つの固有ベクトルを取得する手段とをさらに具備する[４１]記載の装置。
[４５]  前記セルの少なくとも１つのパラメータに基づいて前記セルに対して選択された、報告間隔を決定する手段をさらに具備し、前記セルに対するＣＳＩは、前記セルに対する報告間隔に基づいて前記ＵＥにより送られる[４１]記載の装置。
[４６]  ワイヤレス通信のための装置において、複数のセル中のセルに対するチャネル状態情報（ＣＳＩ）を受信し、前記受信したＣＳＩに基づいて、前記セルからユーザ機器（ＵＥ）にデータ送信を送るように構成されている少なくとも１つのプロセッサを具備し、前記セルに対するＣＳＩは、前記ＵＥへのデータ送信の性能に影響を及ぼす、前記セルの少なくとも１つのパラメータ、に基づいて前記セルに対して選択された量子化の粒度にしたがって、前記ＵＥによって量子化されていることと、前記データ送信は、前記複数のセル中の少なくとも１つのセルによって送られ、前記少なくとも１つのセルは、前記セルを含む、装置。
[４７]  前記セルの少なくとも１つのパラメータは、前記セルと前記ＵＥとの間の長期間のチャネル利得、または、前記ＵＥにおける、前記セルの受信電力、あるいは、両方を含む[４６]記載の装置。
[４８]  前記少なくとも１つのプロセッサは、前記セルの少なくとも１つのパラメータに基づいて前記セルに対して選択された、コードブックのサイズを決定し、前記セルに対するＣＳＩと、前記セルに対して選択されたコードブックのサイズのコードブックとに基づいて、前記セルに対する、少なくとも１つのチャネルベクトル、または、少なくとも１つの等価チャネルベクトル、または、少なくとも１つの固有ベクトルを取得するように構成されている[４６]記載の装置。
[４９]  前記少なくとも１つのプロセッサは、前記セルの少なくとも１つのパラメータに基づいて前記セルに対して選択された、副帯域のサイズを決定し、前記セルに対して選択された副帯域のサイズの、少なくとも１つの副帯域に対する、少なくとも１つのチャネルベクトル、または、少なくとも１つの等価チャネルベクトル、または、少なくとも１つの固有ベクトルを取得するように構成されている[４６]記載の装置。
[５０]  前記少なくとも１つのプロセッサは、前記セルの少なくとも１つのパラメータに基づいて前記セルに対して選択された、報告間隔を決定するように構成されており、前記セルに対するＣＳＩは、前記セルに対する報告間隔に基づいて前記ＵＥにより送られる[４６]記載の装置。
[５１]  コンピュータプログラムプロダクトにおいて、非一時的コンピュータ読み取り可能媒体を具備し、前記非一時的コンピュータ読み取り可能媒体は、少なくとも１つのコンピュータに、複数のセル中のセルに対するチャネル状態情報（ＣＳＩ）を受信させるためのコードであって、前記セルに対するＣＳＩは、ユーザ機器（ＵＥ）へのデータ送信の性能に影響を及ぼす、前記セルの少なくとも１つのパラメータに基づいて前記セルに対して選択された量子化の粒度にしたがって、前記ＵＥによって量子化されている、コードと、前記少なくとも１つのコンピュータに、前記受信したＣＳＩに基づいて、前記セルから前記ＵＥにデータ送信を送らせるためのコードであって、前記データ送信は、前記複数のセル中の少なくとも１つのセルによって送られ、前記少なくとも１つのセルは、前記セルを含む、コードとを含むコンピュータプログラムプロダクト。
【図１】
0005512819.tif 000028
【図２】
0005512819.tif 000029
【図３】
0005512819.tif 000030
【図４】
0005512819.tif 000031
【図５】
0005512819.tif 000032
【図６】
0005512819.tif 000033
【図７】
0005512819.tif 000034
【図８】
0005512819.tif 000035
【図９】
0005512819.tif 000036
【図１０】
0005512819.tif 000037
【図１１】
0005512819.tif 000038